(57)【要約】 【課題】バックライトを複数のバックライトブロックに分割して構成した場合、液晶表示パネルの表示画面がユーザにとってフリッカのようなちらつき見える。【解決手段】液晶表示パネル１０と、光源が配置されており、光源から出た光により液晶表示パネルを照明するバックライトブロックを、複数個有するバックライト１１と、複数のバックライトブロックのそれぞれについて点灯と消灯とを制御するバックライト制御部１９とを備え、バックライト制御部１９は、互いに隣接する２つのバックライトブロックの内、一方のバックライトブロックを点灯状態から消灯状態に切り替え、他方のバックライトブロックを消灯状態から点灯状態に切り替える所定の期間において、一方及び他方のバックライトブロックの光源を同時に点灯させる。【選択図】図１
2008225122.tif 000002
【特許請求の範囲】
【請求項１】
液晶表示パネルと、
光源が配置されており、前記光源から出た光により前記液晶表示パネルを照明するバックライトブロックを、複数個有するバックライトと、
複数の前記バックライトブロックのそれぞれについて点灯と消灯とを制御するバックライト制御部とを備え、
前記バックライト制御部は、互いに隣接する２つのバックライトブロックの内、一方のバックライトブロックを点灯状態から消灯状態に切り替え、他方のバックライトブロックを消灯状態から点灯状態に切り替える所定の期間において、前記一方及び他方のバックライトブロックを同時に点灯させる、液晶表示装置。
【請求項２】
前記バックライト制御部は、前記所定の期間において、前記一方のバックライトブロックの輝度が連続的または段階的に減少し、前記他方のバックライトブロックの輝度が連続的または段階的に増加するよう前記一方及び他方のバックライトブロックを制御する、請求項１記載の液晶表示装置。
【請求項３】
前記バックライト制御部は、前記所定の期間において、前記一方のバックライトブロックに供給する電圧及び／または電流を減少させ、前記他方のバックライトブロックに供給する電圧及び／または電流を増加させることによって、前記一方のバックライトブロックの輝度が連続的または段階的に減少し、前記他方のバックライトブロックの輝度が連続的または段階的に増加するよう前記一方及び他方のバックライトブロックを制御する、請求項２記載の液晶表示装置。
【請求項４】
前記バックライト制御部は、前記所定の期間において、前記一方のバックライトブロックに供給する電圧をＰＷＭ信号パルスとし、そのデューティーを減少させ、前記他方のバックライトブロックに供給する電圧をＰＷＭ信号パルスとし、そのデューティーを増加させることによって、前記一方のバックライトブロックの輝度が連続的または段階的に減少し、前記他方のバックライトブロックの輝度が連続的または段階的に増加するよう前記一方及び他方のバックライトブロックを制御する、請求項２記載の液晶表示装置。
【請求項５】
前記バックライト制御部は、１フレーム期間または１フィールド期間における前記液晶表示パネルの照明として、所定の前記バックライトブロックの点灯開始時期が、その１フレーム期間または１フィールド期間の開始時期より前になるように、前記バックライトブロックを制御する、請求項１記載の液晶表示装置。
【請求項６】
前記バックライト制御部は、１フレーム期間または１フィールド期間における前記液晶表示パネルの照明として、全ての前記バックライトブロックの点灯開始時期が、その１フレーム期間またはその１フィールド期間の開始時期以後になるように、前記バックライトブロックを制御する、請求項１記載の液晶表示装置。
【請求項７】
１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記バックライト制御部は、前記バックライトブロックに対向する、前記液晶表示パネルの表示領域の部分の状態が前記黒挿入期間である場合、そのバックライトブロックを消灯させる、請求項１記載の液晶表示装置。
【請求項８】
前記液晶表示パネルには、ＯＣＢ液晶が用いられている、請求項７記載の液晶表示装置。
【請求項９】
液晶表示パネルと、
光源が配置されており、前記光源から出た光により前記液晶表示パネルを照明するバックライトブロックを、複数個有するバックライトと、
複数の前記バックライトブロックのそれぞれについて点灯と消灯とを制御するバックライト制御部とを備えた液晶表示装置の駆動方法であって、
前記バックライト制御部により、互いに隣接する２つのバックライトブロックについて、一方のバックライトブロックを点灯状態から消灯状態に切り替え、他方のバックライトブロックを消灯状態から点灯状態に切り替える所定の期間において、前記一方及び他方のバックライトブロックを同時に点灯させる制御ステップを備えた、液晶表示装置の駆動方法。
【請求項１０】
請求項９記載の液晶表示装置の駆動方法の、前記バックライト制御部により、互いに隣接する２つのバックライトブロックについて、一方のバックライトブロックを点灯状態から消灯状態に切り替え、他方のバックライトブロックを消灯状態から点灯状態に切り替える所定の期間において、前記一方及び他方のバックライトブロックを同時に点灯させる制御ステップをコンピュータに実行させるためのプログラム。
【請求項１１】
請求項１０記載のプログラムを記録した記録媒体であって、コンピュータにより処理可能な記録媒体。
【発明の詳細な説明】
【技術分野】
【０００１】
本発明は、複数のバックライトブロックに分割されたバックライトを備えた液晶表示装置、液晶表示装置の駆動方法、その液晶表示装置を駆動するためのプログラム、及びそのプログラムを記録した記録媒体に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１５は、ＯＣＢモードの液晶表示素子が有する液晶分子の配向状態を模式的に示した断面図である。図１５（ａ）および図１５（ｂ）は、電圧印加状態を示した断面図であり、図１５（ｃ）は、電圧無印加状態を示した断面図である。
【０００５】
ＯＣＢモードの液晶表示素子を用いた液晶表示装置を構成する液晶表示パネルのガラス基板６１の間には、図１５（ａ）、図１５（ｂ）、及び図１５（ｃ）に液晶分子６２として示すように、ネマチック液晶が注入されている。そして、電圧を印加していない液晶の配向状態は、スプレイ状態６３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１５（ｃ）に示すスプレイ状態６３から図１５（ａ）、及び図１５（ｂ）に示すベンド状態６４ａ、６４ｂに転移させる駆動のことを言う。このベンド状態６４ａ、６４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図１５（ａ）に示すベンド状態６４ａは、白表示をしている場合のベンド状態を示し、図１５（ｂ）のベンド状態６４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために黒色に対応する電圧を画素に印加する動作と、映像信号に対応する電圧を画素に印加する動作とを交互に行う、２倍速変換と呼ばれる逆転移防止駆動がある（例えば、特許文献１参照）。以下この２倍速変換を黒挿入駆動と呼ぶ。
【０００９】
従って、従来のＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
上述した、黒挿入駆動を用いることにより、ＯＣＢモードの液晶表示素子を用いた液晶表示装置の表示を、ＣＲＴのようなインパルス型の表示に近づけることが出来る。その理由は、ＯＣＢモードの液晶表示素子の利点である高速応答性を利用することが出来るからである。黒挿入駆動を用いることにより、動画視認性を向上させるとともに、高いコントラストの表示を行うことが出来る。
【００１１】
なお、現在広く使用されているＴＮ（Ｔｗｉｓｔｅｄ  Ｎｅｍａｔｉｃ）配向液晶表示パネル等のＯＣＢモード以外の液晶表示パネルにおいても、動画視認性を向上させるために、上述した２倍速変換が用いられることがある。このような場合の液晶表示装置の駆動も、黒挿入駆動と呼ぶことにする。
【００１２】
さらに、近年は、ＬＥＤを用いたバックライトの普及や、冷陰極管の高速応答性が向上したことに伴い、ソースドライバ等による液晶表示パネルの駆動に連動してバックライトを駆動するバックライトの駆動方式も実施されつつある（例えば、特許文献２参照）。
【００１３】
以下に、そのようなバックライトの駆動方式を行う従来の液晶表示装置について説明する。
【００１４】
図１６は、黒挿入駆動を行うとともに、ソースドライバ等による液晶表示パネルの駆動に連動してバックライトを駆動する、従来の液晶表示装置１０１のブロック図である。
【００１５】
液晶表示装置１０１は、液晶表示パネル１０、バックライト１１、ソースドライバ２、ゲートドライバ３、コントローラ４、フレームメモリ２２、液晶駆動電圧発生回路１７、及びバックライト制御部１１９を備えている。
【００１６】
液晶表示パネル１０は、アクティブマトリクス方式の液晶表示パネルである。すなわち、液晶表示パネル１０は、アレイ基板上に、信号線と走査線とがマトリックス状に配置され、それらの交点毎にスイッチング素子及び画素電極が形成されており、そのアレイ基板と、対向電極が形成された対向基板との間に液晶層が狭持されている。そして、この液晶層としてＯＣＢモード液晶が用いられている。また、液晶表示パネル１０の対向基板に赤色、緑色、青色のカラーフィルタが設けられている。
【００１７】
バックライト１１は、液晶表示パネル１０の背面に配置されており、複数のバックライトブロックに分割されており、各バックライトブロックにはそれぞれ光源であるＬＥＤ及び導光板が設けられている。
【００１８】
ここで、従来の液晶表示装置１０１のバックライト１１の構成の説明を、発明を実施するための最良の形態の欄で使用する図２（ａ）及び図２（ｂ）を代用して行う。図２（ａ）は、液晶表示パネル１０の表示面と直交する方向から見たバックライト１１の平面図であり、図２（ｂ）は、バックライト１１の側面図である。
【００１９】
図２（ａ）及び図２（ｂ）に示すように、バックライト１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。また、複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。なお、バックライト１１の光源であるＬＥＤ１３ａ〜１３ｅ、１４ａ〜１４ｅが射出する光の色は白色である。
【００２０】
液晶駆動電圧発生回路１７は、ソースドライバ２およびゲートドライバ３に供給する電圧を調整する回路である。
【００２１】
ゲートドライバ３は、液晶表示パネル１０の走査線にゲート信号を供給する回路である。
【００２２】
ソースドライバ２は、表示期間には表示用信号に対応する電圧を供給し、黒挿入期間には黒色に対応する電圧を、液晶表示パネル１０の信号線に供給する回路である。
【００２３】
コントローラ４は、信号処理部２１、及びタイミング制御部２３を備えており、ソースドライバ２は、Ｄ／Ａ変換部２４およびシフトレジスタ２５を備えている。
【００２４】
タイミング制御部２３は、ゲートドライバ３を動作させるタイミングや、画像信号をソースドライバ２に送るタイミングを制御するとともに、バックライト１１の点灯消灯を、ソースドライバ２等による液晶表示パネル１０の駆動に連動させるための信号であるバックライト制御信号をバックライト制御部１１９に送る回路である。
【００２５】
バックライト制御部１１９は、タイミング制御部２３から送られてくるバックライト制御信号に従って、バックライト１１の点灯消灯を制御するものである。
【００２６】
フレームメモリ２２は、１画面分の映像信号を格納するメモリである。
【００２７】
次に、このような従来の液晶表示装置１０１の動作を主にバックライト１１の制御を中心にして説明する。
【００２８】
液晶表示装置１０１の電源が入れられた際には、液晶表示パネル１０の液晶層は、図１５（ｃ）に示すようにスプレイ状態６３のままであるので、図１５（ａ）のベンド状態６４ａや図１５（ｂ）のベンド状態６４ｂに転移させる必要がある。そこで、液晶表示装置１０１の電源が入れられた際には、液晶表示装置１０１は、液晶層をスプレイ状態からベンド状態に転移させるために転移駆動を行う。すなわち、ソースドライバ２は、画素電極と対向電極との間の電圧が所定の時間だけ２０ボルトから２５ボルトという映像を表示する際の電圧よりも高い電圧になるように、転移駆動のための電圧として、信号線に２０ボルトから２５ボルトの電圧を印加する。従って、液晶層には転移駆動のための電圧が所定時間印加されることになるので、液晶表示パネル１０の液晶層は、スプレイ状態からベンド状態に転移し、液晶表示装置１０１の表示動作が可能となる。
【００２９】
上記のように転移駆動が完了し、表示動作が可能になると、液晶表示装置１０１は表示動作を開始する。
【００３０】
コントローラ４のタイミング制御部２３は、液晶表示装置１０１が表示動作を行う際には、外部から入力される映像信号に応じて、ゲートドライバ３、ソースドライバ２にそれぞれ制御信号を送る。その結果、ゲートドライバ３は、各走査線に走査信号電圧を印加して各画素のスイッチング素子を順次オンさせる。
【００３１】
表示期間には、ソースドライバ２は、ゲートドライバ３が各走査線に走査信号電圧を印加するタイミングに合わせて、各信号線に映像信号に応じた電圧を印加し、各画素に、映像信号に応じた電圧が書き込まれる。これにより映像信号に対応する画像が液晶表示パネル１０に表示される。
【００３２】
また、黒挿入期間には、ソースドライバ２は、ゲートドライバ３が各走査線に走査信号電圧を印加するタイミングに合わせて、各信号線に黒色に対応する電圧を印加し、各画素に黒色に対応する電圧が書き込まれる。これにより、黒色の画像が液晶表示パネル１０に表示される。
【００３３】
さらに、タイミング制御部２３は、上述したソースドライバ２等による液晶表示パネル１０の駆動に連動させるための信号であるバックライト制御信号をバックライト制御部１１９に供給する。
【００３４】
バックライト制御部１１９は、タイミング制御部２３から送られてくるバックライト制御信号に基づいて、バックライトブロック１５ａ〜１５ｅのそれぞれの点灯消灯を制御する。
【００３５】
すなわち、バックライト制御部１１９は、液晶表示パネル１０の表示画面のうちバックライトブロック１５ａに対向している表示画面の領域について、画素に映像信号に対応する電圧を書き込み始めると同時にバックライトを点灯する。
【００３６】
バックライト制御部１１９は、同様の制御を、バックライトブロック１５ｂ〜１５ｅに対しても行う。バックライト制御部１１９が行う制御について、図１７を参照して以下にさらに詳細に説明する。
【００３７】
図１７は、図１６に示した液晶表示装置１０１における黒挿入駆動時の、ゲートパルス、及びバックライトブロック１５ａ〜１５ｅの点灯消灯のタイミングチャートの一例を示している。図１７において、紙面に向かって左側から右側に時間が経過する。すなわち、紙面に向かって左側が過去であり、右側が未来である。
【００３８】
図１７の最上部のタイミングチャートは、タイミング制御部２３から出力されるバックライト制御信号の一つである垂直同期信号を示している。
【００３９】
図１７のＧ１〜Ｇ２０は、ゲートドライバ３から各走査線に出力されるゲート信号を示している。また、図１７のバックライトブロック１５ａ〜１５ｅは、各バックライトブロック１５ａ〜１５ｅの輝度を示すものであり、ハイ状態が点灯を表し、ロー状態が消灯を示している。
【００４０】
図１７において、走査線Ｇ１〜Ｇ４がバックライトブロック１５ａに対向しており、走査線Ｇ５〜Ｇ８がバックライトブロック１５ｂに対向しており、走査線Ｇ９〜Ｇ１２がバックライトブロック１５ｃに対向しており、走査線Ｇ１３〜Ｇ１６がバックライトブロック１５ｄに対向しており、走査線Ｇ１７〜ＧＧ２０がバックライトブロック１５ｅに対向している。
【００４１】
なお、図１７においては、理解を容易にするための走査線がＧ１〜Ｇ２０の２０本であるとして図示しているが、実際には多数の走査線がある。例えば、液晶表示パネル１０の表示画面で、横方向に画素が１２８０個配列されており、縦方向に画素が１０２４個配列されている場合には、走査線は１０２４本存在していることになる。
【００４２】
また、図１７において、各ゲート信号がハイになる時期の右側に示す符号は、各ゲート信号がハイになるタイミングに画素に書き込まれる電圧の種別を示している。表示用データに対応する電圧が画素に書き込まれる場合をＳで示し、黒挿入のための黒色に対応する電圧が画素に書き込まれる場合をＢで示している。
【００４３】
走査線Ｇ１については、表示用データに対応する電圧がソースドライバ２から出力されるタイミングに合わせて、走査線Ｇ１のゲート信号がハイになり、走査線Ｇ１上の各画素に表示用データに対応する電圧が書き込まれる。次に、黒挿入のための黒色に対応する電圧がソースドライバ２から出力されるタイミングに合わせて、走査線Ｇ１のゲート信号が再びハイになり、走査線Ｇ１上の各画素に黒挿入のための黒色に対応する電圧が書き込まれる。
【００４４】
走査線Ｇ２については、走査線Ｇ１のゲート信号がハイになるタイミングに対して所定の時間だけ遅れて、走査線Ｇ２のゲート信号がハイになり、そのタイミングに合わせて、表示用データまたは黒挿入のための黒色に対応する電圧が走査線Ｇ２上に存在する各画素に書き込まれる。
【００４５】
以下同様にして、各走査線のゲート信号がハイになるタイミングにあわせて、表示用データまたは黒色の挿入用データがその走査線上に存在する各画素に書き込まれていく。
【００４６】
このように、各走査線Ｇ１〜Ｇ２０が１フレーム期間（または１フィールド期間）にそれぞれ２回ずつ選択され、各走査線Ｇ１〜Ｇ２０上の画素には、表示用データに対応する電圧と、黒色の挿入用データに対応する電圧とが１回ずつ書き込まれる。したがって、表示用データを書き込む一方で周期的に黒色の挿入用データを書き込む黒挿入駆動を実現することが出来る。
【００４７】
一方、バックライト制御部１１９は、タイミング制御部２３から供給されてくるバックライト制御信号に従って、上述した黒挿入駆動に連動するように、各バックライトブロック１５ａ〜１５ｅの点灯消灯を制御する。
【００４８】
図１７で説明したように、時間が経過するにつれて、液晶表示装置１０１は、１フレーム期間（または１フィールド期間）において、液晶表示パネル１０の表示画面の上から下に向かって表示信号が表示され、その後、表示画面の上から下に向かって黒挿入のための黒色が表示されていく。
【００４９】
時期Ｔ１に、タイミング制御部２３からバックライト制御信号でもある垂直同期信号がハイ状態になり１フレーム期間（または１フィールド期間）が開示される。
【００５０】
時期Ｔ１を経過した後時期Ｔ２までの時期においては、バックライト制御部１１９は、走査線Ｇ１〜Ｇ４上の画素を主に照明するバックライトブロック１５ａだけ点灯させ、バックライトブロック１５ｂ〜１５ｅは消灯させる。
【００５１】
時期Ｔ２を経過した後時期Ｔ３までの時期においては、走査線Ｇ１〜Ｇ４上の画素には順次黒挿入のための黒色に対応する電圧が書き込まれるので、バックライト制御部１１９は、バックライトブロック１５ａを消灯させる。そして、バックライト制御部１１９は、走査線Ｇ５〜Ｇ８上の画素を主に照明するバックライトブロック１５ｂを点灯させ、バックライトブロック１５ｃ〜１５ｅを消灯させる。
【００５２】
以下、同様にバックライト制御部１１９は、順次バックライトブロック１５ａ〜１５ｅが点灯するようにバックライトブロック１５ａ〜１５ｅを制御する。
【００５３】
また、時期Ｔ６を経過した後次のフレーム期間（またはフィールド期間）の開始時期Ｔ１までの時期において、バックライト制御部１１９は、全てのバックライトブロック１５ａ〜１５ｅが消灯するようバックライトブロック１５ａ〜１５ｅを制御する。
【００５４】
バックライト制御部１１９は、上記の制御を１フレーム期間（または１フィールド期間）毎に繰り返す。このようにして、バックライト制御部１１９は、タイミング制御部２３から供給されてくるバックライト制御信号に従って、黒挿入駆動に連動するように、各バックライトブロック１５ａ〜１５ｅの点灯消灯を制御する。
【００５５】
このように、バックライト１１を複数のバックライトブロック１５ａ〜１５ｅに分割させ、上述した黒挿入駆動に連動させてバックライトブロック１５ａ〜１５ｅを点灯消灯させるように、バックライト制御部１１９がバックライトブロック１５ａ〜１５ｅの点灯消灯のタイミングを制御する。つまり黒挿入のための黒色に対応する電圧が画素に書き込まれるときには、その部分のバックライトブロックを消灯する。
【００５６】
これにより、液晶表示装置１０１の動画視認性を向上することが出来るとともに、高コントラスト化や低消費電力化をも実現することが出来る。
【特許文献１】特開２００３−２８０６１７号公報
【特許文献２】特開平１１−２９７４８５号公報
【発明の開示】
【発明が解決しようとする課題】
【００５７】
しかしながら、従来の液晶表示装置１０１においては、バックライト１１を、図２に示すようにバックライトブロック１５ａ〜１５ｅに分割しており、導光板も導光板１２ａ〜１２ｅのように分割している。このため、液晶表示パネル１０の表示画面の各導光板１２ａ〜１２ｅの境界に対応する部分にすじ状の影部が見えることがある。
【００５８】
上記すじ状の影部の発生理由についてさらに詳細に説明する。光源であるＬＥＤ１３ａ〜１３ｅ、１４ａ〜１４ｅのばらつき等による液晶表示パネル１０の表示画面の色ずれを抑制するために、バックライトブロック１５ａ〜１５ｅは、隣接する他のバックライトブロック１５ａ〜１５ｅに光源であるＬＥＤ１３ａ〜１３ｅ、１４ａ〜１４ｅの光が漏れるように構成されている。
【００５９】
例えばバックライトブロック１５ａが点灯しており、バックライトブロック１５ｂ〜１５ｅが全て消灯している場合、液晶表示パネル１０の表示画面のバックライトブロック１５ａに対応する部分の輝度を１００パーセントとすると、液晶表示パネル１０の表示画面のバックライトブロック１５ｂに対応する部分の輝度は７０パーセント程度になる。
【００６０】
そして、導光板１２ａ〜１２ｅが、境界において単純に接触するように構成されている場合、バックライトブロック１５ａのＬＥＤ１３ａ及び１４ａから射出された光は、導光板１２ａを伝搬し、導光板１２ａと導光板１２ｂとの境界で乱反射する。これにより、バックライトブロック１５ａが点灯し、バックライトブロック１５ｂが消灯している場合には、導光板１２ａと導光板１２ｂとの境界に沿って導光板１２ｂの側に上述したすじ状の影部が生じる。
【００６１】
導光板１２ａ〜１２ｅの境界にビーズを散布して、空気層が設けられている場合や、導光板１２ａ〜１２ｅの境界に仕切が構成されている場合にも上述したすじ状の影部が生じる。
【００６２】
そして、図１７に示すように各バックライトブロック１５ａ〜１５ｅの点灯消灯を順次切り替えていくと液晶表示パネル１０の表示画面上でそのすじ状の影部が動いてフリッカのようなちらつきとしてユーザに認識されてしまう。
【００６３】
図１８（ａ）、図１８（ｂ）に、このような影部を示す。図１８（ａ）は、図１７における時期Ｔ１を経過した後時期Ｔ２に到達する直前までの点灯消灯パターンである。また、図１８（ｂ）は、図１７における時期Ｔ２を経過した後時期Ｔ３に到達する直前までの点灯消灯パターンである。
【００６４】
図１８（ａ）の点灯消灯パターンの場合、液晶表示パネル１０の表示画面のうちバックライトブロック１５ａの導光板１２ａとバックライトブロック１５ｂの導光板１２ｂとの境界に沿ってバックライトブロック１５ｂの側の部分にすじ状の影部１６ａが生じる。
【００６５】
また、図１８（ｂ）の点灯消灯パターンの場合、液晶表示パネル１０の表示画面のうちバックライトブロック１５ａの導光板１２ａとバックライトブロック１５ｂの導光板１２ｂとの境界に沿ってバックライトブロック１５ａの側の部分にすじ状の影部１６ｂが生じる。
【００６６】
そして、図１７において時期Ｔ２に到達する直前では、図１８（ａ）に示すように影部１６ａは、バックライトブロック１５ｂの側に生じており、時期Ｔ２を経過すると、瞬時にその影部１６ａが、図１８（ｂ）に示すようにバックライトブロック１５ａの側に移動する。
【００６７】
バックライトブロック１５ｂ〜１５ｅの各境界についても同様に影部が生じその影部が点灯から消灯に切り替える際に瞬時に移動する。
【００６８】
このように、液晶表示パネル１０の表示画面に映像を表示している際には、図１７に示すようにバックライトブロック１５ａ〜１５ｅの点灯と消灯が瞬時に切り替わるので、液晶表示パネル１０の表示画面の、バックライトブロック１５ａ〜１５ｅの各境界に対応する部分に生じる影部が瞬時に移動する。従って、液晶表示パネル１０の表示画面がユーザにはフリッカのようにちらついて見える。
【００６９】
このように、液晶表示装置１０１において、バックライトを複数のバックライトブロックに分割して構成した場合、液晶表示パネルの表示画面がユーザにとってフリッカのようにちらついて見えるという課題がある。
【００７０】
また、このような課題は、バックライトを複数のバックライトに分割して構成した液晶表示装置であれば、上述した従来の液晶表示装置以外の液晶表示装置でも、液晶表示パネルの表示画面がユーザにとってフリッカのよううにちらついて見えるという課題が生じる。
【００７１】
本発明は、上記課題を考慮し、バックライトを複数のバックライトブロックに分割して構成した場合、液晶表示パネルの表示画面に見えるフリッカのようなちらつきを従来に比べて抑制することが出来る液晶表示装置、液晶表示装置の駆動方法、プログラム、及び記録媒体を提供することを目的とするものである。
【課題を解決するための手段】
【００７２】
上述した課題を解決するために、第１の本発明は、液晶表示パネルと、
光源が配置されており、前記光源から出た光により前記液晶表示パネルを照明するバックライトブロックを、複数個有するバックライトと、
複数の前記バックライトブロックのそれぞれについて点灯と消灯とを制御するバックライト制御部とを備え、
前記バックライト制御部は、互いに隣接する２つのバックライトブロックの内、一方のバックライトブロックを点灯状態から消灯状態に切り替え、他方のバックライトブロックを消灯状態から点灯状態に切り替える所定の期間において、前記一方及び他方のバックライトブロックを同時に点灯させる、液晶表示装置である。
【００７３】
また、第２の本発明は、前記バックライト制御部は、前記所定の期間において、前記一方のバックライトブロックの輝度が連続的または段階的に減少し、前記他方のバックライトブロックの輝度が連続的または段階的に増加するよう前記一方及び他方のバックライトブロックを制御する、第１の本発明の液晶表示装置である。
【００７４】
また、第３の本発明は、前記バックライト制御部は、前記所定の期間において、前記一方のバックライトブロックに供給する電圧及び／または電流を減少させ、前記他方のバックライトブロックに供給する電圧及び／または電流を増加させることによって、前記一方のバックライトブロックの輝度が連続的または段階的に減少し、前記他方のバックライトブロックの輝度が連続的または段階的に増加するよう前記一方及び他方のバックライトブロックを制御する、第２の本発明の液晶表示装置である。
【００７５】
また、第４の本発明は、前記バックライト制御部は、前記所定の期間において、前記一方のバックライトブロックに供給する電圧をＰＷＭ信号パルスとし、そのデューティーを減少させ、前記他方のバックライトブロックに供給する電圧をＰＷＭ信号パルスとし、そのデューティーを増加させることによって、前記一方のバックライトブロックの輝度が連続的または段階的に減少し、前記他方のバックライトブロックの輝度が連続的または段階的に増加するよう前記一方及び他方のバックライトブロックを制御する、第２の本発明の液晶表示装置である。
【００７６】
また、第５の本発明は、前記バックライト制御部は、１フレーム期間または１フィールド期間における前記液晶表示パネルの照明として、所定の前記バックライトブロックの点灯開始時期が、その１フレーム期間または１フィールド期間の開始時期より前になるように、前記バックライトブロックを制御する、第１の本発明の液晶表示装置である。
【００７７】
また、第６の本発明は、前記バックライト制御部は、１フレーム期間または１フィールド期間における前記液晶表示パネルの照明として、全ての前記バックライトブロックの点灯開始時期が、その１フレーム期間またはその１フィールド期間の開始時期以後になるように、前記バックライトブロックを制御する、第１の本発明の液晶表示装置である。
【００７８】
また、第７の本発明は、１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記バックライト制御部は、前記バックライトブロックに対向する、前記液晶表示パネルの表示領域の部分の状態が前記黒挿入期間である場合、そのバックライトブロックを消灯させる、第１の本発明の液晶表示装置である。
【００７９】
また、第８の本発明は、前記液晶表示パネルには、ＯＣＢ液晶が用いられている、第７の本発明の液晶表示装置である。
【００８０】
また、第９の本発明は、液晶表示パネルと、
光源が配置されており、前記光源から出た光により前記液晶表示パネルを照明するバックライトブロックを、複数個有するバックライトと、
複数の前記バックライトブロックのそれぞれについて点灯と消灯とを制御するバックライト制御部とを備えた液晶表示装置の駆動方法であって、
前記バックライト制御部により、互いに隣接する２つのバックライトブロックについて、一方のバックライトブロックを点灯状態から消灯状態に切り替え、他方のバックライトブロックを消灯状態から点灯状態に切り替える所定の期間において、前記一方及び他方のバックライトブロックを同時に点灯させる制御ステップを備えた、液晶表示装置の駆動方法である。
【００８１】
また、第１０の本発明は、第９の本発明の液晶表示装置の駆動方法の、前記バックライト制御部により、互いに隣接する２つのバックライトブロックについて、一方のバックライトブロックを点灯状態から消灯状態に切り替え、他方のバックライトブロックを消灯状態から点灯状態に切り替える所定の期間において、前記一方及び他方のバックライトブロックを同時に点灯させる制御ステップをコンピュータに実行させるためのプログラムである。
【００８２】
また、第１１の本発明は、第１０の本発明のプログラムを記録した記録媒体であって、コンピュータにより処理可能な記録媒体である。
【発明の効果】
【００８３】
本発明は、バックライトを複数のバックライトブロックに分割して構成した場合、液晶表示パネルの表示画面に見えるフリッカのようなちらつきを従来に比べて抑制することが出来る液晶表示装置、液晶表示装置の駆動方法、プログラム、及びプログラム記録媒体を提供することが出来る。
【発明を実施するための最良の形態】
【００８４】
以下に、本発明の実施の形態を図面を参照して説明する。
【００８５】
（第１の実施の形態）
まず、本発明の第１の実施の形態について説明する。
【００８６】
第１の実施の形態では、本発明の液晶表示装置の一実施の形態である液晶表示装置について説明するとともに、本発明の液晶表示装置の駆動方法の一実施の形態についても説明する。
【００８７】
図１に、第１の実施の形態の液晶表示装置１のブロック図を示す。
【００８８】
図１に示す液晶表示装置１は、背景技術で説明した液晶表示装置１０１と同様に、黒挿入駆動を行うとともに、液晶表示パネルの駆動に連動してバックライトを駆動する装置である。
【００８９】
なお、第１の実施の形態の液晶表示装置１は、背景技術で説明した液晶表示装置１０１と同様にＯＣＢモードの液晶表示素子を用いた液晶表示装置であるとして説明し、黒挿入駆動も背景技術で説明した黒挿入駆動と同様の駆動であるとして説明する。また、ＴＮ（Ｔｗｉｓｔｅｄ  Ｎｅｍａｔｉｃ）配向液晶表示パネル等のＯＣＢモード以外の液晶表示パネルにおける黒挿入駆動については、後述する。
【００９０】
なお、背景技術で説明した液晶表示装置１０１と同一部分については同一の符号を付して詳細な説明を省略する。
【００９１】
バックライト１１は、アクティブマトリクス方式の液晶表示パネル１０の背面に配置されており、複数のバックライトブロックに分割されており、各バックライトブロックにはそれぞれ光源であるＬＥＤ及び導光板が設けられている。
【００９２】
バックライト１１の構成は、背景技術で説明した液晶表示装置１０１のバックライト１１と基本的には同じであり、図２（ａ）及び（ｂ）で示される。
【００９３】
図２（ａ）及び図２（ｂ）に示すように、バックライト１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。また、複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。各バックライトブロック１５ａ〜１５ｅの一つのバックライトブロックの光は他のバックライトに伝搬するような仕切部が設けられている。なお、バックライト１１の光源であるＬＥＤ１３ａ〜１３ｅ、１４ａ〜１４ｅが射出する光の色は白色である。
【００９４】
図３に、バックライト１１の分解斜視図を示す。バックライト１１は、反射シート５１上に複数のバックライトブロック１５ａ〜１５ｅが設けられている。そして、複数のバックライトブロック１５ａ〜１５ｅは、導光板１２ａ〜１２ｅを有している。図３の場合、仕切部５２は、導光板１２ａと１２ｂとの間など隣接する導光板との間に設けられている。そして、この仕切部５２は、隣接する導光板同士の間に設けられた空間である。このような仕切部５２をバックライト１１が有している。
【００９５】
なお、仕切部５２の別の構成として、バックライトブロック１５ａ〜１５ｅの導光板をそのまま密着させることでその境界で反射面を形成し、その反射面を仕切部５２としても構わない。また、仕切部５２の別の構成として互いに隣接するバックライトブロック１５ａ〜１５ｅの境界面の一部に光を反射及び遮蔽する板を配置しても構わない。
【００９６】
図２（ａ）及び図２（ｂ）に戻って、各バックライトブロック１５ａ〜１５ｅは、それぞれの光源であるＬＥＤ１３ａ〜１３ｅ、ＬＥＤ１４ａ〜１４ｅから射出された光が隣接する他のバックライトブロックに予め決められた割合で伝搬するように設計されている。
【００９７】
バックライト制御部１９は、タイミング制御部２３から送られてくるバックライト制御信号に従って、バックライト１１の点灯消灯を制御するものである。なお、バックライト制御信号は、垂直同期信号、水平同期信号、及びクロック信号である。
【００９８】
図４に、バックライト制御部１９の詳細な構成を示す。
【００９９】
バックライト制御部１９は、演算部２６、第１記憶部２７、第２記憶部２８、第３記憶部２９、及びカウンタ３０、パラメータ変換部３１を備えている。そして、演算部２６は、パラメータ情報テーブル作成部２６ａ、点灯判定部２６ｂ、及びパラメータ決定部２６ｃを備えている。
【０１００】
第１記憶部２７は、各バックライトブロック１５ａ〜１５ｅの点灯消灯のタイミングを決定するためのバックライト情報３２と、バックライトブロック１５ａ〜１５ｅに供給する最大のパラメータの値を示す最大パラメータ情報３３とを記憶する半導体メモリなどのＲＡＭである。なお、バックライト情報３２及び最大パラメータ情報３３については後述する。
【０１０１】
第２記憶部２８は、パラメータ変換部３１に供給するパラメータ情報を求めるためのパラメータ情報テーブル３４を記憶する半導体メモリなどのＲＡＭである。なお、パラメータ情報テーブル３４については後述する。
【０１０２】
第３記憶部２９は、パラメータ情報テーブル３４を作成するための情報である規格化パラメータ情報テーブル３５を記憶する半導体メモリなどのＲＡＭである。なお、規格化パラメータ情報テーブル３５については後述する。
【０１０３】
カウンタ３０は、コントローラのタイミング制御部２３から送られてくるバックライト制御情報を利用して、フレーム（またはフィールド）の開始時期からの時間をカウントして、時間情報を出力する時計である。
【０１０４】
演算部２６を構成するパラメータ情報テーブル作成部２６ａは、第３記憶部２９から規格化パラメータ情報テーブル３５を読み込んで、読み込んだ規格化パラメータ情報テーブル３５からパラメータ情報テーブル３４を作成し、作成したパラメータ情報テーブル３４を第２記憶部２８に記憶させるものである。
【０１０５】
演算部２６を構成する点灯判定部２６ｂは、第１記憶部２７に記憶されているバックライト情報３２を参照して、カウンタ３０から送られてくる時間情報を利用して各バックライトブロック１５ａ〜１５ｅを点灯するか消灯するかを判定するものである。
【０１０６】
演算部２６を構成するパラメータ決定部２６ｃは、第１記憶部２７に記憶されているバックライト情報３２、第２記憶部２８に記憶されているパラメータ情報テーブル３４を参照し、カウンタ３０から送られている時間情報を利用して各バックライトブロック１５ａ〜１５ｅに供給する電力のパラメータの値を決定するための情報であるパラメータ情報を作成するものである。
【０１０７】
パラメータ変換部３１は、演算部２６を構成するパラメータ決定部２６ｃで決定されたパラメータ情報を入力し、入力したパラメータ情報が示す電力を、各バックライトブロック１５ａ〜１５ｅに供給するものである。
【０１０８】
次に、このような第１の実施の形態の液晶表示装置１の動作を説明するとともに、本発明の液晶表示装置の駆動方法の一実施の形態についても説明する。
【０１０９】
液晶表示装置１の電源が入れられた際には、背景技術で説明した液晶表示装置１０１と同様に転移駆動を行う。
【０１１０】
そして、転移駆動が完了し、表示動作が可能になると、液晶表示装置１は、表示動作を開始する。
【０１１１】
すなわち、ＲＧＢデータである映像信号が、１画面分だけフレームメモリ２２に格納されると、信号処理部２１は、フレームメモリ２２から読み出した映像信号に対して階調補正やガンマ補正処理を行なうとともに、１水平走査期間のデータ毎に、１水平走査期間の前側が２倍速の映像信号、後ろ側が黒挿入用の黒色データとなるように変換して、シフトレジスタ２５に格納していく。
【０１１２】
そして、コントローラ４のタイミング制御部２３は、液晶表示装置１が表示動作を行う際には、外部から入力される映像信号に応じて、ゲートドライバ３、ソースドライバ２にそれぞれ制御信号を送る。その結果、ゲートドライバ３は、各走査線に走査信号電圧を印加して各画素のスイッチング素子を順次オンさせる。
【０１１３】
表示期間には、ソースドライバ２は、ゲートドライバ３が各走査線に走査信号電圧を印加するタイミングに合わせて、各信号線に映像信号に応じた電圧を印加する。そしてゲートドライバ３が走査線に走査信号電圧を印加すると、その走査線に配列されている各画素のスイッチング素子がオン状態になり、各信号線を通じてその走査線上に配列されている各画素に、映像信号に応じた電圧が書き込まれる。これにより液晶表示パネル１０の液晶分子６２が変調され、バックライト１１から出射される光の透過率が変化する。その結果、映像信号に対応する画像が液晶表示パネル１０に表示される。
【０１１４】
また、黒挿入期間には、ソースドライバ２は、ゲートドライバ３が各走査線に走査信号電圧を印加するタイミングに合わせて、各信号線に黒色に対応する電圧を印加する。そしてゲートドライバ３が走査線に走査信号電圧を印加すると、その走査線に配列されている各画素のスイッチング素子がオン状態になり、各信号線を通じてその走査線上に配列されている各画素に、黒色に対応する電圧が書き込まれる。これにより液晶表示パネル１０の液晶分子６２が変調され、バックライト１１から出射される光の透過率が変化する。その結果、黒色の画像が液晶表示パネル１０に表示される。
【０１１５】
さらに、タイミング制御部２３は、上述したソースドライバ２等による液晶表示パネル１０の駆動に連動させるための信号であるバックライト制御信号をバックライト制御部１９に供給する。バックライト制御信号としては、タイミング制御部２３が、ゲートドライバ３やソースドライバ２に送る制御信号を用いることが出来る。上述したように、バックライト制御信号として、クロック信号、水平同期信号、及び垂直同期信号などを用いることが出来る。
【０１１６】
バックライト制御部１９は、タイミング制御部２３から送られてくるバックライト制御信号に基づいて、バックライトブロック１５ａ〜１５ｅのそれぞれの点灯消灯を制御するとともに、背景技術で説明した液晶表示装置１０１のバックライト制御部１１９とは異なりバックライト制御部１９は、バックライトブロック１５ａ〜１５ｅの輝度をも制御する。
【０１１７】
図５は、第１の実施の形態の液晶表示装置１における黒挿入駆動時の、ゲートパルス、及びバックライトブロック１５ａ〜１５ｅの点灯消灯のタイミングチャートの一例である。図５において、紙面に向かって左側から右側に時間が経過する。すなわち、紙面に向かって左側が過去であり、右側が未来である。
【０１１８】
ＲＧＢデータで入力された映像信号は、いったんフレームメモリ２２に格納され、上述したように信号処理部２１は、フレームメモリ２２から表示用データを読み出す。
【０１１９】
そして、信号処理部２１は、１水平走査期間のデータ毎に、１水平走査期間の前側では、階調補正やガンマ補正処理などが施され、２倍速に変換した表示用データをシフトレジスタ２５に格納し、１水平走査期間の後ろ側に、黒挿入用の黒色のデータをシフトレジスタ２５に格納する。
【０１２０】
１水平走査期間毎に、シフトレジスタ２５には、これらの１行画素分のデータが順次入力されていき、シフトレジスタ２５に格納されたデータは、Ｄ／Ａ変換部２４で表示色に対応する電圧に変換され、ソースドライバ２からは１行画素分の表示データに対応する電圧が同時に出力されていく。
【０１２１】
図５のＧ１〜Ｇ２０は、ゲートドライバ３から各走査線に出力されるゲート信号を示している。また、図５の１５ａ〜１５ｅは、各バックライトブロック１５ａ〜１５ｅの輝度を示している。
【０１２２】
図５において、走査線Ｇ１〜Ｇ４がバックライトブロック１５ａに対向しており、走査線Ｇ５〜Ｇ８がバックライトブロック１５ｂに対向しており、走査線Ｇ９〜Ｇ１２がバックライトブロック１５ｃに対向しており、走査線Ｇ１３〜Ｇ１６がバックライトブロック１５ｄに対向しており、走査線Ｇ１７〜Ｇ２０がバックライトブロック１５ｅに対向している。
【０１２３】
なお、図５においては、理解を容易にするための背景技術と同様に走査線がＧ１〜Ｇ２０の２０本であるとして図示しているが、実際には多数の走査線が設けられている。例えば、液晶表示パネル１０の表示画面で、横方向に画素が１２８０個配列されており、縦方向に画素が１０２４個配列されている場合には、走査線は１０２４本存在していることになる。
【０１２４】
また、図５において、各ゲート信号の右側に示す符号は、各ゲート信号がハイになるタイミングに画素に書き込まれる電圧の種別を示している。表示用データに対応する電圧が画素に書き込まれる場合をＳで示し、黒挿入のための黒色に対応する電圧が画素に書き込まれる場合をＢで示している。
【０１２５】
走査線Ｇ１については、表示用データに対応する電圧がソースドライバ２から出力されるタイミングに合わせて、走査線Ｇ１のゲート信号がハイになり、走査線Ｇ１上の各画素に表示用データに対応する電圧が書き込まれる。次に、黒挿入のための黒色に対応する電圧がソースドライバ２から出力されるタイミングに合わせて、走査線Ｇ１のゲート信号が再びハイになり、走査線Ｇ１上の各画素に黒挿入のための黒色に対応する電圧が書き込まれる。
【０１２６】
走査線Ｇ２については、走査線Ｇ１のゲート信号がハイになるタイミングに対して所定の時間だけ遅れて、走査線Ｇ２のゲート信号がハイになり、そのタイミングに合わせて、表示用データまたは黒挿入のための黒色に対応する電圧が走査線Ｇ２上に存在する各画素に書き込まれる。
【０１２７】
以下同様にして、各走査線のゲート信号がハイになるタイミングにあわせて、表示用データまたは黒色の挿入用データがその走査線上に存在する各画素に書き込まれていく。
【０１２８】
このように、各走査線Ｇ１〜Ｇ２０が１フレーム期間（または１フィールド期間）にそれぞれ２回ずつ選択され、各走査線Ｇ１〜Ｇ２０上の画素には、表示用データに対応する電圧と、黒色の挿入用データに対応する電圧とが１回ずつ書き込まれる。したがって、表示用データを書き込む一方で周期的に黒色の挿入用データを書き込む黒挿入駆動を実現することが出来る。
【０１２９】
一方、バックライト制御部１９は、タイミング制御部２３から供給されてくるバックライト制御信号に従って、上述した黒挿入駆動に連動するように、各バックライトブロック１５ａ〜１５ｅの点灯消灯と輝度とを制御する。
【０１３０】
以下、バックライト制御部１９によるバックライトブロック１５ａ〜１５ｅの制御について図５等を用いて説明する。
【０１３１】
図５において、各バックライトブロック１５ａ〜１５ｅの輝度を実線で示すとともに、背景技術で説明した液晶表示装置１０１のバックライトブロック１５ａ〜１５ｅの輝度を破線で示している。
【０１３２】
図５に示すように、バックライト制御部１９は、液晶表示パネル１０の表示画面のうちバックライトブロック１５ａに対向している表示画面の領域について、いずれかの画素が黒挿入期間にある場合にバックライトブロック１５ａを消灯している。これにより、液晶表示パネル１０の表示画面のコントラストや動画視認性を向上させることが出来るとともに、１フレーム期間（または１フィールド期間）の間にバックライトブロック１５ａを全て点灯させる場合に比べて、液晶表示装置１の消費電力を低減させることも出来る。
【０１３３】
より詳細に説明すると、図５において、バックライトブロック１５ａは、１フレーム期間（または１フィールド時期）の開始時期である時期Ｔ１より過去の時期である時期Ｓ１に点灯し、その後輝度が連続的に増加して、時期Ｐ１において輝度が最大になり、その後輝度が連続的に減少し、時期Ｔ２より未来の時期である時期Ｅ１に消灯している。
【０１３４】
また、バックライトブロック１５ｂは、時期Ｔ２より過去の時期である時期Ｓ２に点灯し、その後輝度が連続的に増加して、時期Ｐ２において輝度が最大になり、その後輝度が連続的に減少し、時期Ｔ３より未来の時期である時期Ｅ２に消灯している。
【０１３５】
また、バックライトブロック１５ｃは、時期Ｔ３より過去の時期である時期Ｓ３に点灯し、その後輝度が連続的に増加して、時期Ｐ３において輝度が最大になり、その後輝度が連続的に減少し、時期Ｔ４より未来の時期である時期Ｅ３に消灯している。
【０１３６】
また、バックライトブロック１５ｄは、時期Ｔ４より過去の時期である時期Ｓ４に点灯し、その後輝度が連続的に増加して、時期Ｐ４において輝度が最大になり、その後輝度が連続的に減少し、時期Ｔ５より未来の時期である時期Ｅ４に消灯している。
【０１３７】
また、バックライトブロック１５ｅは、時期Ｔ５より過去の時期である時期Ｓ５に点灯し、その後輝度が連続的に増加して、時期Ｐ５において輝度が最大になり、その後輝度が連続的に減少し、時期Ｔ６より未来の時期である時期Ｅ５に消灯している。
【０１３８】
図６（ａ）〜図６（ｆ）は、それぞれ時期Ｐ１、Ｐ２、Ｐ３、Ｐ４、Ｐ５、及び時期Ｅ５より未来でかつ次の１フレーム期間（または１フィールド期間）の時期Ｓ１より過去の時期において、各バックライトブロック１５ａ〜１５ｅが点灯しているか消灯しているかを示す点灯消灯パターンである。なお、図６（ａ）〜図６（ｆ）において、斜線で塗られたバックライトブロックは、最大輝度で点灯すなわち全点灯していることを示し、斜線で塗られていないバックライトブロックは、消灯していることを示す。
【０１３９】
また、図７（ａ）〜図７（ｃ）に時期Ｐ１から時期Ｐ２までのバックライトブロック１５ａ〜１５ｅの点灯消灯パターンを示す。図７（ａ）は、時期Ｐ１でのバックライトブロック１５ａ〜１５ｅの点灯消灯パターンであり、図７（ｂ）は、時期Ｓ２を経過した直後から時期Ｅ１に至る直前までの時期のバックライトブロック１５ａ〜１５ｅの点灯消灯パターンであり、図７（ｃ）は、時期Ｐ２におけるバックライトブロック１５ａ〜１５ｅの点灯消灯パターンである。
【０１４０】
時期Ｐ１において、バックライトブロック１５ａは、図７（ａ）に全点灯として示すように、最大輝度で点灯し、他のバックライトブロック１５ｂ〜１５ｅは消灯している。
【０１４１】
時期Ｓ２を経過した直後から時期Ｅ１に至る直前までの時期では、バックライトブロック１５ａは、図７（ｂ）に半点灯として示すように最大輝度より小さい輝度で点灯しており、バックライトブロック１５ｂも、図７（ｂ）に半点灯として示すように最大輝度より小さい輝度で点灯しており、他のバックライトブロック１５ｃ〜１５ｅは消灯している。
【０１４２】
時期Ｐ２において、バックライトブロック１５ａは消灯しており、バックライトブロック１５ｂは、図７（ｃ）に全点灯として示すように最大輝度で点灯している。
【０１４３】
そして、時期Ｓ２を経過した直後から時期Ｅ１に至る直前までの時期では、図５に示すようにバックライトブロック１５ａの輝度は連続的に減少しており、バックライトブロック１５ｂの輝度は連続的に増加している。
【０１４４】
上記と同様に、時期Ｐ２から時期Ｐ３に至る際にも、時期Ｓ３を経過した直後から時期Ｅ２に至る直前までの時期では、バックライトブロック１５ｂは、最大輝度より小さい輝度で点灯しており、バックライトブロック１５ｃも、最大輝度より小さい輝度で点灯しており、他のバックライトブロック１５ａ、１５ｄ、１５ｅは消灯している。
【０１４５】
また、上記と同様に、時期Ｐ３から時期Ｐ４に至る際にも、時期Ｓ４を経過した直後から時期Ｅ３に至る直前までの時期では、バックライトブロック１５ｃは、最大輝度より小さい輝度で点灯しており、バックライトブロック１５ｄも、最大輝度より小さい輝度で点灯しており、他のバックライトブロック１５ａ、１５ｂ、１５ｅは消灯している。
【０１４６】
また、上記と同様に、時期Ｐ４から時期Ｐ５に至る際にも、時期Ｓ５を経過した直後から時期Ｅ４に至る直前までの時期では、バックライトブロック１５ｄは、最大輝度より小さい輝度で点灯しており、バックライトブロック１５ｅも、最大輝度より小さい輝度で点灯しており、他のバックライトブロック１５ａ〜１５ｃは消灯している。
【０１４７】
このように、バックライト制御部１９は、バックライトブロック１５ａ〜１５ｅの点灯消灯及び輝度を制御する。
【０１４８】
背景技術で説明した液晶表示装置１０１においては、時期Ｔ２の前後、時期Ｔ３の前後、時期Ｔ４の前後、及び時期Ｔ５の前後において、互いに隣接するバックライトブロックの点灯と消灯が瞬時に切り替わった。このため、図１８（ａ）及び図１８（ｂ）を用いて説明したように、すじ状の影部が、影部１６ａから影部１６ｂに瞬時に移動し、背景技術で説明した液晶表示装置１０１に用いられている液晶表示パネル１０の表示画面に、フリッカのようなちらつきが見えた。
【０１４９】
これに対して、第１の実施の形態のバックライト制御部１９は、時期Ｓ２を経過した直後から時期Ｅ１に至る直前までの時期、時期Ｓ３を経過した直後から時期Ｅ２に至る直前までの時期、時期Ｓ４を経過した直後から時期Ｅ３に至る直前までの時期、時期Ｓ５を経過した直後から時期Ｅ４に至る直前までの時期で互いに隣接するバックライトブロックを同時に点灯させている。バックライト制御部１９がこのような制御を行うので、第１の実施の形態の液晶表示装置１に用いられている液晶表示パネル１０の表示画面ですじ状の影部が、図１８（ａ）及び図１８（ｂ）に示すように影部１６ａから影部１６ｂに瞬時にではなく徐々に移動する。この結果、第１の実施の形態の液晶表示装置１の液晶表示パネル１０の表示画面は、背景技術で説明した液晶表示装置１０１の液晶表示パネル１０の表示画面よりフリッカのようなちらつきが少なくなり、高品質な表示が可能になった。
【０１５０】
さらに、第１の実施の形態のバックライト制御部１９は、時期Ｓ２を経過した直後から時期Ｅ１に至る直前までの時期、時期Ｓ３を経過した直後から時期Ｅ２に至る直前までの時期、時期Ｓ４を経過した直後から時期Ｅ３に至る直前までの時期、時期Ｓ５を経過した直後から時期Ｅ４に至る直前までの時期で、互いに隣接するバックライトブロックを同時に点灯させているとともに、一方のバックライトブロックの輝度を連続的に減少させ、他方のバックライトブロックの輝度を連続的に増加させるよう制御を行う。これにより、すじ状の影部は、これらの時期においてその濃淡が薄くなりやがて消えその後徐々に移動後の位置にすじ状の影部が現れることになる。この結果、第１の実施の形態の液晶表示装置１の液晶表示パネル１０の表示画面は、さらにフリッカのようなちらつきが少なくなり、さらに高品質な表示が可能になった。
【０１５１】
なお、第１の実施の形態の時期Ｓ２を経過した直後から時期Ｅ１に至る直前までの時期、時期Ｓ３を経過した直後から時期Ｅ２に至る直前までの時期、時期Ｓ４を経過した直後から時期Ｅ３に至る直前までの時期、時期Ｓ５を経過した直後から時期Ｅ４に至る直前までの時期のそれぞれは、本発明の所定の期間の一例である。
【０１５２】
なお、バックライト制御部１９は、時期Ｓ２を経過した直後から時期Ｅ１に至る直前までの時期、時期Ｓ３を経過した直後から時期Ｅ２に至る直前までの時期、時期Ｓ４を経過した直後から時期Ｅ３に至る直前までの時期、時期Ｓ５を経過した直後から時期Ｅ４に至る直前までの時期で、互いに隣接するバックライトブロックを同時に点灯させているとともに、一方のバックライトブロックの輝度を連続的に減少させ、他方のバックライトブロックの輝度を連続的に増加させるよう制御を行ったが、これに限らない。
【０１５３】
上記の時期において、互いに隣接するバックライトブロックを同時に点灯させているとともに、一方のバックライトブロックの輝度を段階的に減少させ、他方のバックライトブロックの輝度を段階的に増加させるよう制御を行っても構わない。
【０１５４】
なお、バックライトブロック１５ａ〜１５ｅの輝度の波形は、図５のようになるとして説明したがこれに限らない。図５の輝度の波形とは異なる波形を用いてもよい。一例として、図８（ａ）〜図８（ｅ）に時期Ｓ１から時期Ｅ１までのバックライトブロック１５ａの輝度の波形を示す。
【０１５５】
図８（ａ）は、図５に示したバックライトブロック１５ａの輝度の波形と同じものであり、図８（ｂ）〜図８（ｅ）は、図８（ａ）とは異なるバックライトブロック１５aの輝度の波形である。なお、図８（ｅ）は、バックライトブロックの輝度を段階的に増加または減少させる場合のバックライトブロック１５ａの輝度の波形の一例である。図８（ａ）の輝度の波形を、図８（ｂ）〜図８（ｅ）のいずれかの輝度の波形に置き換え、そして、バックライトブロック１５ｂ〜１５ｅの輝度の波形もバックライトブロック１５ａの波形と同様に置き換えた波形を用いてもよい。このようにしても第１の実施の形態と同等の効果を得ることが出来る。
【０１５６】
また、第１の実施の形態の液晶表示装置１に用いられている液晶表示パネル１０の表示画面は、若干フリッカのようなちらつきが増加し、多少表示品質が劣化するものの、上記の時期において、互いに隣接するバックライトブロックを同時に点灯させるが、一方のバックライトブロックの輝度を連続的または段階的に減少させ、他方のバックライトブロックの輝度を連続的または段階的に増加させる制御を行わないようにしても構わない。
【０１５７】
バックライト制御部１９がこのような制御をする場合であっても、背景技術で説明した液晶表示装置１０１に用いられる液晶表示パネル１０の表示画面よりは、フリッカのようなちらつきが少なく、高品質な表示を行うことが出来る。
【０１５８】
なお、図５に示すバックライトブロックが最大輝度以下の輝度で点灯している期間（例えば時期Ｓ１からＰ１までの期間と時期Ｐ１からＥ１までの期間）をより長くすることにより、すじ状の影部の移動の速度がよりゆっくりになるとともに、すじ状の影部が鮮明に表示されている期間がより減少するので、フリッカのようなちらつきをより少なくすることが出来る。なお、バックライトブロックが最大輝度以下の輝度で点灯している期間（例えば時期Ｓ１からＰ１までの期間と時期Ｐ１からＥ１までの期間）を長くするにつれて、バックライトブロック１５ａ〜１５ｅが点灯している期間が増加していくので、表示画面の輝度が増加していくとともに、表示画面の動画視認性が低下していったりコントラストが低下していくことになる。従って、バックライトブロックが最大輝度以下の輝度で点灯している期間（例えば時期Ｓ１からＰ１までの期間と時期Ｐ１からＥ１までの期間）をどの程度長くするかについては、表示画面の輝度の程度や動画視認性の程度やコントラストの程度との兼ね合いで決定すればよい。また、バックライトブロックが最大輝度以下の輝度で点灯している期間（例えば時期Ｓ１からＰ１までの期間と時期Ｐ１からＥ１までの期間）を長くすることにともなう表示画面の輝度の増加を抑えるためには例えば、最大輝度自体を小さい輝度に最設定すればよい。
【０１５９】
また、図５に示すバックライトブロックの輝度の波形を図８（ｂ）に示す輝度の波形に置き換えた場合には、時期Ｓ１と時期Ｅ１とを固定しておいても、時期Ｐ１Ｓから時期Ｐ１Ｅまでの期間をより短くすることによって、バックライトブロックが最大輝度より小さい輝度で点灯している期間（図８（ｂ）において時期Ｓ１から時期Ｐ１Ｓまでの期間と時期Ｐ１Ｅから時期Ｅ１までの期間）をより長くすることが出来る。このように、バックライトブロックの輝度の波形を図８（ｂ）に示す輝度の波形に置き換えた場合、時期Ｓ１と時期Ｅ１とを固定しておいても、時期Ｐ１Ｓから時期Ｐ１Ｅまでの期間をより短くすることによっても、フリッカのようなちらつきをより少なくすることが出来る。図８（ｄ）、図８（ｅ）に示す輝度の波形についても図８（ｂ）に示す輝度の波形と同様のことが言える。
【０１６０】
次に、バックライト制御部１９によるバックライトブロック１５ａ〜１５ｅの点灯消灯及び輝度の制御について、以下に説明する。
【０１６１】
バックライト制御部１９は、バックライトブロック１５ａ〜１５ｅに供給する電圧（第１の場合）、電流（第２の場合）、または、バックライトブロック１５ａ〜１５ｅにＰＷＭ信号パルスを供給する際のデューティー（第３の場合）を制御することによって、バックライトブロック１５ａ〜１５ｅの点灯消灯及び輝度を制御することが出来る。
【０１６２】
すなわち、第１の場合は、バックライト制御部１９がバックライトブロック１５ａ〜１５ｅに供給する電圧を増減させることによりバックライトブロック１５ａ〜１５ｅの点灯消灯及び輝度の制御を行う。
【０１６３】
第２の場合は、バックライト制御部１９がバックライトブロック１５ａ〜１５ｅに供給する電流を増減させることによりバックライトブロック１５ａ〜１５ｅの点灯消灯及び輝度の制御を行う。
【０１６４】
第３の場合は、バックライト制御部１９がバックライトブロック１５ａ〜１５ｅに供給する電圧と電流を両方増減させることによりバックライトブロック１５ａ〜１５ｅの点灯消灯及び輝度の制御を行う。
【０１６５】
第４の場合は、バックライト制御部１９がバックライトブロック１５ａ〜１５ｅに供給する電圧をバックライトブロック１５ａ〜１５ｅが点灯する周波数より高い周波数のＰＷＭ信号パルスとしてバックライトブロック１５ａ〜１５ｅに供給する場合に、そのＰＷＭ信号パルスのデューティー（ｄｕｔｙ）を増減させることにより、バックライトブロック１５ａ〜１５ｅの点灯消灯及び輝度の制御を行う。
【０１６６】
図４は、上記第１〜４の場合のいずれかにより、バックライト制御部１９がバックライトブロック１５ａ〜１５ｅの点灯消灯及び輝度の制御を行う場合のブロック図である。以下、図４を用いて、上記バックライト制御部１９が、第１〜第４の場合により行う制御についてまとめて説明する。
【０１６７】
ただし、以下の説明を第１の場合に適用する場合には、以下の記述及び図４及び図９に記載されている「パラメータ」は「電圧」を意味するものとする。
【０１６８】
また、以下の説明を第２の場合に適用する場合には、以下の記述及び図４及び図９に記載されている「パラメータ」は「電流」を意味するものとする。
【０１６９】
また、以下の説明を第３の場合に適用する場合には、以下の記述及び図４及び図９に記載されている「パラメータ」は「電流及び電圧」を意味するものとする。
【０１７０】
また、以下の説明を第４の場合に適用する場合には、以下の記述及び図４及び図９に記載されている「パラメータ」は「デューティー」を意味するものとする。
【０１７１】
まず、前述したように、第１記憶部２７に記憶されているバックライト情報３２及び最大パラメータ情報３３について説明する。
【０１７２】
図１０（ａ）、図１０（ｂ）にバックライト情報３２を示す。図１０（ａ）に示すようにバックライト情報３２は、各バックライトブロック１５ａ〜１５ｅの点灯消灯のタイミングをそれぞれ決定するためのバックライト情報３６ａ〜３６ｅから構成される。そして、図１０（ｂ）に示すように各バックライト情報３６ａ〜３６ｅは、点灯開始時期３７及び点灯終了時期３８から構成される。点灯開始時期３７は、１フレーム期間（または１フィールド期間）の開始時期からの対応するバックライトブロック１５ａ〜１５ｅを点灯させる時間を表し、点灯終了時期３８は、１フレーム期間（または１フィールド期間）の開始時期からの対応するバックライトブロック１５ａ〜１５ｅを点灯させる時間を表す。点灯開示時期３７及び点灯終了時期３８としては、実際には、バックライト制御信号を構成する水平同期信号の数でその時間を表すものとする。
【０１７３】
ただし、図５に示すタイミングチャートにおいては、バックライトブロック１５ａの点灯開始時期は、時期Ｓ１である。そして、時期Ｓ１は、１フレーム期間（または１フィールド期間）の開始時期である時期Ｔ１より過去の時期である。このように１フレーム期間（または１フィールド期間）の開始時期よりも過去にバックライトブロック１５ａを点灯させるためには、バックライト情報３６ａを構成する点灯開始時期３７を以下のように設定すればよい。
【０１７４】
すなわち、バックライト情報３６ａを構成する点灯開始時期３７として設定する値（水平同期信号の数で表す）をＶとし、１フレーム期間（または１フィールド期間）の時間（水平同期信号の数で表す）をＦとし、時期Ｔ１から時期Ｓ１までの時間をＷ（水平同期信号の数で表す）とした場合、以下の数１により、バックライト情報３６ａを構成する点灯開始時期３７として設定する値Ｖを求めることが出来る。
【０１７５】
（数１）
Ｖ＝Ｆ−Ｗ
すなわち、バックライト情報３６ａを構成する点灯開始時期３７として設定する値Ｖとしては、１フレーム（または１フィールド）前の１フレーム期間（または１フィールド期間）の開始時からの時間（水平同期信号の数で表す）を設定すればよい。
【０１７６】
また、各バックライト情報３２ａ〜３２ｅの点灯開始時期３７から点灯終了時期３８までの時間を増減することにより、バックライトブロック１５ａ〜１５ｅどうしの輝度差を調光することも出来る。
【０１７７】
また、最大パラメータ情報３３は、バックライトブロック１５ａ〜１５ｅの輝度が最大となるようなパラメータを示す情報である。第１の場合には、最大パラメータ情報３３は、輝度が最大となるような電圧を示す情報であり、第２の場合には、最大パラメータ情報３３は、輝度が最大となるような電流を示す情報であり、第３の場合には、最大パラメータ情報３３は、輝度が最大となるような電流及び電圧を示す情報であり、第４の場合には、最大パラメータ情報３３は、輝度が最大となるようなデューティーを示す情報である。
【０１７８】
すなわち、第１の場合には、最大パラメータ情報３３が示す値をパラメータ変換部３１に入力すると、パラメータ変換部３１は、各バックライトブロック１５ａ〜１５ｅの輝度が図５のＰ１、Ｐ２、Ｐ３、Ｐ４、Ｐ５における輝度に一致するような電圧を各バックライトブロック１５ａ〜１５ｅに供給する。
【０１７９】
また、第２の場合には、最大パラメータ情報３３が示す値をパラメータ変換部３１に入力すると、パラメータ変換部３１は、各バックライトブロック１５ａ〜１５ｅの輝度が図５のＰ１、Ｐ２、Ｐ３、Ｐ４、Ｐ５における輝度に一致するような電流を各バックライトブロック１５ａ〜１５ｅに供給する。
【０１８０】
また、第３の場合には、最大パラメータ情報３３が示す値をパラメータ変換部３１に入力すると、パラメータ変換部３１は、各バックライトブロック１５ａ〜１５ｅの輝度が図５のＰ１、Ｐ２、Ｐ３、Ｐ４、Ｐ５における輝度に一致するような電流及び電圧を各バックライトブロック１５ａ〜１５ｅに供給する。
【０１８１】
また、第４の場合には、最大パラメータ情報３３が示す値をパラメータ変換部３１に入力すると、パラメータ変換部３１は、各バックライトブロック１５ａ〜１５ｅの輝度が図５のＰ１、Ｐ２、Ｐ３、Ｐ４、Ｐ５における輝度に一致するようなデューティーであるＰＷＭ信号パルスを各バックライトブロック１５ａ〜１５ｅに供給する。
【０１８２】
次に、前述したように、第２記憶部２８に記憶されているパラメータ情報テーブル３４について説明する。
【０１８３】
その前にまずパラメータ情報について説明する。
【０１８４】
すなわち、第１の場合には、パラメータ情報とは、バックライトブロック１５ａ〜１５ｅに供給する電圧を示す情報である。また、第２の場合には、パラメータ情報とは、バックライトブロック１５ａ〜１５ｅに供給する電流を示す情報である。また、第３の場合には、パラメータ情報とは、バックライトブロック１５ａ〜１５ｅに供給する電流及び電圧を示す情報である。また、第４の場合には、パラメータ情報とは、バックライトブロック１５ａ〜１５ｅに供給するＰＷＭ信号パルスのデューティーを示す情報である。
【０１８５】
さて、図９（ａ）及び図９（ｂ）は、パラメータ情報テーブル３４の概要を示す説明図である。すなわち、パラメータ情報テーブル３４は、図９（ａ）に示すように、バックライトブロック１５ａ〜１５ｅそれぞれのパラメータ情報テーブル３４ａ〜３４ｅから構成されている。そして、各パラメータ情報テーブル３４ａ〜３４ｅは、対応するバックライトブロック１５ａ〜１５ｅの点灯開始時期３７から点灯終了時期３８までの各時期にその時期のパラメータ情報を対応付けた情報である。従って、パラメータ情報テーブル３４を参照して求めたパラメータ情報を順次パラメータ変換部３１に入力すると、バックライトブロック１５ａ〜１５ｅの輝度が図５に示すような輝度になる。
【０１８６】
このように、各パラメータ情報テーブル３４ａ〜３４ｅは、１フレーム期間（または１フィールド期間）の開始時からの時間（水平同期信号の数で表す）に対して、パラメータ情報を対応付けた情報である。
【０１８７】
第１の場合には、各パラメータ情報テーブル３４ａ〜３４ｅは、１フレーム期間（または１フィールド期間）の開始時からの時間（水平同期信号の数で表す）に対して、バックライトブロック１５ａ〜１５ｅに供給する電圧を示す電圧情報を対応付けた情報である。
【０１８８】
第２の場合には、各パラメータ情報テーブル３４ａ〜３４ｅは、１フレーム期間（または１フィールド期間）の開始時からの時間（水平同期信号の数で表す）に対して、バックライトブロック１５ａ〜１５ｅに供給する電流を示す電流情報を対応付けた情報である。
【０１８９】
第３の場合には、各パラメータ情報テーブル３４ａ〜３４ｅは、１フレーム期間（または１フィールド期間）の開始時からの時間（水平同期信号の数で表す）に対して、バックライトブロック１５ａ〜１５ｅに供給する電流及び電圧を示す電流及び電圧情報を対応付けた情報である。
【０１９０】
第４の場合には、各パラメータ情報テーブル３４ａ〜３４ｅは、１フレーム期間（または１フィールド期間）の開始時からの時間（水平同期信号の数で表す）に対して、バックライトブロック１５ａ〜１５ｅに供給するＰＷＭ信号パルスのデューティーを示すデューティー情報を対応付けた情報である。
【０１９１】
従って、例えば、バックライトブロック１５ａの現在のパラメータ情報を求めるためには、パラメータ情報テーブル３４ａを参照して、１フレーム期間（または１フィールド期間）の開始時からの現在までの時間に対応付けられたパラメータ情報を取得すればよい。
【０１９２】
次に、前述したように、第３記憶部２９に記憶されている規格化パラメータ情報テーブル３５について説明する。規格化パラメータ情報テーブル３５は、パラメータ情報テーブル３４を作成するための情報であり、０から１までの範囲に規格化した時間に対して、０から１までの範囲に規格化したパラメータ情報を対応付けたテーブルである。
【０１９３】
従って、規格化パラメータ情報テーブル３５からパラメータ情報テーブル３４ａ〜３５ｅを作成するためには、規格化パラメータ情報テーブル３５を参照して、規格化した時間とその時間に対応付けられた規格化されたパラメータ情報をまず求める。そして、規格化した時間とそれぞれの点灯開始時期３７から点灯終了時期３８までの時間とをかけ算する。そして、かけ算した結果得られた値にそれぞれの点灯開始時期３７を加算する。その結果得られた値（１フレーム期間（または１フィールド期間）の開始時からの時間）に対して、規格化されたパラメータ情報と最大パラメータ情報３３とをかけ算した結果得られる値を対応付ける。規格化された各時間について上記の処理を行い第２記憶部２８に記憶させれば、パラメータ情報テーブル３４を作成することが出来る。
【０１９４】
以上、バックライト情報３２、最大パラメータ情報３３、パラメータ情報テーブル３４、規格化パラメータ情報テーブル３５について説明した。
【０１９５】
次に、バックライトブロック１５ａ〜１５ｅの点灯消灯及び輝度のバックライト制御部１９による制御について説明する。
【０１９６】
まず、液晶表示装置１が表示動作を開始する際や、液晶表示装置１が調光さえれ、バックライト情報３２が書き換えられた場合、コントローラ４からの制御に従って、パラメータ情報テーブル作成部２６ａは、パラメータ情報テーブル３４を新たに作成する。
【０１９７】
すなわち、パラメータ情報テーブル作成部２６ａは、パラメータ情報テーブル３４を新たに作成する場合、第３記憶部２９に記憶されている規格化情報テーブル３５を参照して、上述した方法に従って、パラメータ情報テーブル３４を作成して、第２記憶部２８に記憶させる。
【０１９８】
映像を表示している際には、カウンタ３０は、１フレーム期間（または１フィールド期間）の開始時からの時間を計測している。すなわち、カウンタ３０は、コントローラ４から送られてくるバックライト制御信号を構成する垂直同期信号を検知すると、計測している時間をゼロにリセットする。そして、バックライト制御信号を構成する水平同期信号を検知する毎に計測している時間を１だけカウントアップする。
【０１９９】
点灯判定部２６ｂは、第１記憶部２７に記憶されているバックライト情報３２を参照して、各バックライトブロック１５ａ〜１５ｅを点灯させるか消灯させるかを判定する。この判定を、例えば、バックライトブロック１５ａについて説明すると、カウンタ３０が示す現在の時間（１フレーム期間（または１フィールド期間）の開始時からの時間）が、バックライト情報３２のうちバックライトブロック１５ａに関する情報を示すバックライト情報３２ａの点灯開始時期３７と点灯終了時期３８とで定義される区間［点灯開始時期３７、点灯終了時期３８］に含まれていれば点灯させると判定し、その区間に含まれていなければ点灯させないと判定する。バックライトブロック１５ｂ〜１５ｅについても同様である。点灯判定部２６ｂは、判定結果をパラメータ決定部２６ｃに通知する。
【０２００】
ただし、図５のタイミングチャートに示すバックライトブロック１５ａのように、点灯開示時期３７が１フレーム期間（または１フィールド期間）の開始時期より過去である場合、（数１）等を用いて上述したように点灯開始時期３７と点灯終了時期３８を設定すると、点灯開始時期３７の値の方が、点灯終了時期３８の値よりも大きな値になることがある。
【０２０１】
このような場合でも、点灯判定部２６ｂが以下のように判定することにより、各バックライトブロック１５ａ〜１５ｅが点灯するか点灯しないかを正しく判定することが出来る。
【０２０２】
すなわち、点灯判定部２６ｂは、カウンタ３０が示す現在の時間をＣとし、点灯開示時期３７として設定されている値をＶｓとし、点灯終了時期３８として設定されている値をＶｅとする。このとき、Ｖｓ＜Ｖｅが成立する場合、点灯判定部２６ｂは、Ｃ＞ＶｓかつＶｅ＞Ｃであればそのバックライトブロックを点灯させると判定し、そうでない場合には、点灯させないと判定する。そして、Ｖｓ＞Ｖｅが成立する場合、点灯判定部２６ｂは、Ｖｓ＜ＣかつＶｅ＜Ｃが成立するか、またはＣ＜ＶｓかつＣ＜Ｖｅが成立するならばそのバックライトブロックを点灯させると判定し、そうでない場合には、点灯させないと判定する。
【０２０３】
パラメータ決定部２６ｃは、点灯判定部２６ｂから判定結果を通知されると、パラメータ情報を決定してパラメータ変換部３１に出力する。すなわち、パラメータ決定部２６ｃは、各バックライトブロック１５ａ〜１５ｅについて、そのバックライトブロックの判定結果がそのバックライトブロックを点灯させないという判定結果である場合、パラメータ変換部３１にそのバックライトブロックのパラメータ情報として０を示すパラメータ情報を出力する。なお、パラメータ情報が０であるとは、そのパラメータ情報に対応するバックライトブロック１５ａ〜１５ｅに電力を供給しないこと、すなわち、消灯させることを意味する。また、そのバックライトブロックの判定結果がそのバックライトブロックを点灯させるという判定結果である場合、第２記憶部２８に記憶されているパラメータ情報テーブル３４を構成するパラメータ情報テーブル３４ａ〜３４ｅのうち対応するパラメータ情報テーブル３４ａ〜３４ｅを参照して、パラメータ情報を求める。そして求めたパラメータ情報をパラメータ変換部３１に出力する。
【０２０４】
第１の場合には、パラメータ変換部３１は、パラメータ決定部２６ｃから入力されてきた各バックライトブロック１５ａ〜１５ｅのパラメータ情報（電圧情報）に基づいて各バックライトブロック１５ａ〜１５ｅに供給するべき電圧を生成して各バックライトブロック１５ａ〜１５ｅに供給する。
【０２０５】
また、第２の場合には、パラメータ変換部３１は、パラメータ決定部２６ｃから入力されてきた各バックライトブロック１５ａ〜１５ｅのパラメータ情報（電流情報）に基づいて各バックライトブロック１５ａ〜１５ｅに供給するべき電流を生成して各バックライトブロック１５ａ〜１５ｅに供給する。
【０２０６】
また、第３の場合には、パラメータ変換部３１は、パラメータ決定部２６ｃから入力されてきた各バックライトブロック１５ａ〜１５ｅのパラメータ情報（電流及び電圧情報）に基づいて各バックライトブロック１５ａ〜１５ｅに供給するべき電流及び電圧を生成して各バックライトブロック１５ａ〜１５ｅに供給する。
【０２０７】
また、第４の場合には、パラメータ変換部３１は、パラメータ決定部２６ｃから入力されてきた各バックライトブロック１５ａ〜１５ｅのパラメータ情報（デューティー情報）に基づいて各バックライトブロック１５ａ〜１５ｅに供給するべきＰＷＭ信号パルスを生成して各バックライトブロック１５ａ〜１５ｅに供給する。
【０２０８】
このように、第１の場合〜第４の場合のいずれかの方法によりバックライト制御部１９がバックライトブロック１５ａ〜１５ｅを制御することにより、バックライトブロック１５ａ〜１５ｅを図５に示すように動作させることが出来る。
【０２０９】
また、図５において、図８（ａ）の部分を、図８（ｂ）〜図８（ｅ）に置き換えることも、第３記憶部２９に記憶される規格化パラメータ情報テーブル３５を図８（ｂ）〜図８（ｅ）に対応するものに置き換えるだけで、容易に実現することが出来る。さらに、図８（ａ）〜図８（ｅ）以外の輝度の波形を実現したい場合には、その実現したい輝度の波形に対応した規格化パラメータ情報テーブル３５を、第３記憶部２９に記憶させるだけでよい。このように、図４のバックライト制御部１９の構成を採用することにより、バックライトブロック１５ａ〜１５ｅの輝度の波形や、点灯消灯のタイミングを自由に設計することが可能になる。
【０２１０】
また、第１の実施の形態のバックライト制御部１９の第１記憶部２７、第２記憶部２８、第３記憶部２９、及び演算部２６を、ＬＳＩやＩＣとして実現することも出来るし、第１の実施の形態のバックライト制御部１９の全部または一部を、ＬＳＩやＩＣとして実現することも可能である。
【０２１１】
特に、バックライト制御部１９のうち第１記憶部２７、第２記憶部２８、第３記憶部２９、及び演算部２６の部分を１つのＬＳＩとして実現し、パラメータ変換部３１の部分を別の部品として実現することにより、パラメータ交換部３１を交換するだけで、第１記憶部２７、第２記憶部２８、第３記憶部２９、及び演算部２６の部分を実現するＬＳＩを設計変更も再度製造することも必要なく、上述した第１の場合、第２の場合、第３の場合、及び第４の場合のバックライト制御部１９を自由に実現することが出来るという長所が認められる。
【０２１２】
また、バックライト制御部１９の全部または一部を液晶表示装置１の全部または一部の機能を実現するＬＳＩに組み込むことにより部品点数を減らすことも出来る。
【０２１３】
（第２の実施の形態）
次に、本発明の第２の実施の形態について説明する。
【０２１４】
第１の実施の形態の液晶表示装置１の液晶表示パネル１０の表示画面は、背景技術で説明した液晶表示装置１０１の液晶表示パネル１０の表示画面よりフリッカのようなちらつきが少なくなり、高品質な表示を実現することが出来た。
【０２１５】
しかしながら、第１の実施の形態においては、図５のタイミングチャートを用いて説明したように、バックライトブロック１５ａは、１フレーム期間（または１フィールド期間）の開始時期である時期Ｔ１より過去の時期である時期Ｓ１に点灯を開始する。
【０２１６】
このため、図５において、１フレーム期間（または１フィールド期間）の開始時期である時期Ｔ１が変動した場合、すなわち、タイミング制御部２３から送られてくるバックライト制御信号としての垂直同期信号が送られてくる時期が変動した場合、バックライトブロック１５ａの点灯のタイミングが、液晶表示パネル１０の駆動のタイミングとずれることになる。これにより、液晶表示パネル１０の表示画面の品質が劣化することが起こり得る。また、バックライトブロック１５ａが、１フレーム期間（または１フィールド期間）の開始時期である時期Ｔ１より過去の時期である時期Ｓ１に点灯を開始するので、点灯判定部２６ｂは、第１の実施の形態で説明したように、バックライトブロック１５ａ〜１５ｅが点灯しているか消灯しているかを判定する際に複雑な判定をする必要があった。
【０２１７】
なお、１フレーム期間（または１フィールド期間）の開始時期である時期Ｔ１が変動すること、すなわち、タイミング制御部２３から送られてくるバックライト制御信号としての垂直同期信号が送られてくる時期が変動することは、例えば次のような要因により発生する。
【０２１８】
第１の要因としては、液晶表示装置の周囲に存在する弱電界や強電界の影響により液晶表示装置の制御信号等が変動することがある。具体的には、液晶表示装置の周辺に、無線通信機器などから発せられた電波や、送電線や家電製品から発せられた電気的ノイズが第１の要因になり得る。
【０２１９】
また、第２の要因として、液晶表示装置の温度変化により垂直同期信号の波形がなまることにより垂直同期信号の検出のタイミングがずれることがある。具体的には、液晶表示装置が置かれた室内または車内の温度が急変することや、液晶表示装置自体の発熱により液晶表示装置の温度が変化すること等が第２の要因になり得る。
【０２２０】
上記第１の要因や第２の要因、あるいは別の要因により、１フレーム期間（または１フィールド期間）の開始時期である時期Ｔ１が変動し、バックライトブロック１５ａの点灯のタイミングが、液晶表示パネル１０の駆動のタイミングとずれることになる。
【０２２１】
第２の実施の形態では、１フレーム期間（または１フィールド期間）の開始時期である時期Ｔ１が変動した場合であっても、液晶表示パネル１０の表示画面の表示品質が劣化することがない液晶表示装置について説明する。また、第２の実施の形態では、点灯判定部２６ｂが行う判定が、第１の実施の形態より簡易である液晶表示装置について説明する。
【０２２２】
なお、第２の実施の形態では、第１の実施の形態と同一部分については同一符号を付して詳細な説明を省略する。
【０２２３】
図１１に、第２の実施の形態の液晶表示装置１’のブロック図を示す。第２の実施の形態の液晶表示装置１’と第１の実施の形態の液晶表示装置１との相違点は、第２の実施の形態の液晶表示装置１’が、バックライト制御部１９の代わりにバックライト制御部１９’を備えている点である。
【０２２４】
図１２に、バックライト制御部１９’の詳細な構成を示す。第２の実施の形態の液晶表示装置１’のバックライト制御部１９’は、演算部２６’を備えており、演算部２６’は、点灯判定部２６ｂ’を備えている。
【０２２５】
演算部２６’を構成する点灯判定部２６ｂ’は、第１記憶部２７に記憶されているバックライト情報３２を参照して、カウンタ３０から送られてくる時間情報を利用して各バックライトブロック１５ａ〜１５ｅを点灯するか消灯するかを判定するものである。
【０２２６】
上記以外は、第２の実施の形態と、第１の実施の形態とは、同一の構成を有している。
【０２２７】
次に、このような第２の実施の形態の液晶表示装置１’及び本発明の１実施の形態である液晶表示装置の駆動方法について、第１の実施の形態との相違点を中心に説明する。
【０２２８】
液晶表示装置１’の電源が入れられた際には、第１の実施の形態で説明した液晶表示装置１と同様に転移駆動を行う。
【０２２９】
そして、転移駆動が完了し、表示動作が可能になると、液晶表示装置１’は、表示動作を開始する。
【０２３０】
第２の実施の形態の液晶表示装置１’における転移駆動及び表示動作は、第１の実施の形態の液晶表示装置１の転移駆動及び表示動作と同様であるので、説明を省略する。
【０２３１】
図１３は、第２の実施の形態の液晶表示装置１’における黒挿入駆動時の、ゲートパルス、及びバックライトブロック１５ａ〜１５ｅの点灯消灯のタイミングチャートの一例である。図１３は、第１の実施の形態で説明した図５においてバックライトブロック１５ａの点灯開始時期が１フレーム期間（または１フィールド期間）の開始時期に一致するように、図５におけるバックライトブロック１５ａ〜１５ｅのタイミングチャートを右側（未来の側）に平行移動したものに相当する。
【０２３２】
すなわち、図５のＳ１〜Ｓ５、Ｅ１〜Ｅ５、Ｔ１〜Ｔ１、Ｐ１〜Ｐ５を、それぞれ（Ｔ１−Ｓ１）だけ右側（未来の側）へ移動すると、図１３のＳ１’〜Ｓ５’、Ｅ１’〜Ｅ５’、Ｔ１’〜Ｔ１’、Ｐ１’〜Ｐ５’に一致する。
【０２３３】
つまり、図１３のＳ１’〜Ｓ５’、Ｅ１’〜Ｅ５’、Ｔ１’〜Ｔ１’、Ｐ１’〜Ｐ５’と、図５のＳ１〜Ｓ５、Ｅ１〜Ｅ５、Ｔ１〜Ｔ１、Ｐ１〜Ｐ５との関係は、以下の（数２）のようになる。
【０２３４】
（数２）
Ｓ１’＝Ｓ１＋（Ｔ１−Ｓ１）
Ｓ２’＝Ｓ２＋（Ｔ１−Ｓ１）
Ｓ３’＝Ｓ３＋（Ｔ１−Ｓ１）
Ｓ４’＝Ｓ４＋（Ｔ１−Ｓ１）
Ｓ５’＝Ｓ５＋（Ｔ１−Ｓ１）
Ｅ１’＝Ｅ１＋（Ｔ１−Ｓ１）
Ｅ２’＝Ｅ２＋（Ｔ１−Ｓ１）
Ｅ３’＝Ｅ３＋（Ｔ１−Ｓ１）
Ｅ４’＝Ｅ４＋（Ｔ１−Ｓ１）
Ｅ５’＝Ｅ５＋（Ｔ１−Ｓ１）
Ｔ１‘＝Ｔ１＋（Ｔ１−Ｓ１）
Ｔ２‘＝Ｔ２＋（Ｔ１−Ｓ１）
Ｔ３‘＝Ｔ３＋（Ｔ１−Ｓ１）
Ｔ４‘＝Ｔ４＋（Ｔ１−Ｓ１）
Ｔ５‘＝Ｔ５＋（Ｔ１−Ｓ１）
Ｐ１’＝Ｐ１＋（Ｔ１−Ｓ１）
Ｐ２’＝Ｐ２＋（Ｔ１−Ｓ１）
Ｐ３’＝Ｐ３＋（Ｔ１−Ｓ１）
Ｐ４’＝Ｐ４＋（Ｔ１−Ｓ１）
Ｐ５’＝Ｐ５＋（Ｔ１−Ｓ１）
バックライト制御部１９’は、タイミング制御部２３から供給されてくるバックライト制御信号に従って、黒挿入駆動に連動するように、各バックライトブロック１５ａ〜１５ｅの点灯消灯と輝度とを制御する。
【０２３５】
以下、バックライト制御部１９’によるバックライトブロック１５ａ〜１５ｅの制御について図１３等を用いて説明する。
【０２３６】
図１３において、バックライトブロック１５ａは、１フレーム期間（または１フィールド時期）の開始時期である時期Ｓ１’に点灯し、その後輝度が連続的に増加して、時期Ｐ１’において輝度が最大になり、その後輝度が連続的に減少し、時期Ｔ２’より未来の時期である時期Ｅ１’に消灯している。
【０２３７】
また、バックライトブロック１５ｂは、時期Ｔ２’より過去の時期である時期Ｓ２’に点灯し、その後輝度が連続的に増加して、時期Ｐ２’において輝度が最大になり、その後輝度が連続的に減少し、時期Ｔ３’より未来の時期である時期Ｅ２’に消灯している。
【０２３８】
また、バックライトブロック１５ｃは、時期Ｔ３’より過去の時期である時期Ｓ３’に点灯し、その後輝度が連続的に増加して、時期Ｐ３’において輝度が最大になり、その後輝度が連続的に減少し、時期Ｔ４’より未来の時期である時期Ｅ３’に消灯している。
【０２３９】
また、バックライトブロック１５ｄは、時期Ｔ４’より過去の時期である時期Ｓ４’に点灯し、その後輝度が連続的に増加して、時期Ｐ４’において輝度が最大になり、その後輝度が連続的に減少し、時期Ｔ５’より未来の時期である時期Ｅ４’に消灯している。
【０２４０】
また、バックライトブロック１５ｅは、時期Ｔ５’より過去の時期である時期Ｓ５’に点灯し、その後輝度が連続的に増加して、時期Ｐ５’において輝度が最大になり、その後輝度が連続的に減少し、時期Ｔ６’より未来の時期である時期Ｅ５’に消灯している。
【０２４１】
図６（ａ）〜図６（ｆ）は、それぞれ時期Ｐ１’、Ｐ２’、Ｐ３’、Ｐ４’、Ｐ５’、及び時期Ｅ５’より未来でかつ次の１フレーム期間（または１フィールド期間）の開始時期Ｓ１より過去の時期において、各バックライトブロック１５ａ〜１５ｅが点灯しているか消灯しているかを示す点灯消灯パターンである。なお、図６（ａ）〜図６（ｆ）において、第１の実施の形態と同様に、斜線で塗られたバックライトブロックは、最大輝度で点灯すなわち全点灯していることを示し、斜線で塗られていないバックライトブロックは、消灯していることを示す。
【０２４２】
また、図７（ａ）〜図７（ｃ）に時期Ｐ１’から時期Ｐ２’までのバックライトブロック１５ａ〜１５ｅの点灯消灯パターンを示す。図７（ａ）は、時期Ｐ１’でのバックライトブロック１５ａ〜１５ｅの点灯消灯パターンであり、図７（ｂ）は、時期Ｓ２’を経過した直後から時期Ｅ１’に至る直前までの時期のバックライトブロック１５ａ〜１５ｅの点灯消灯パターンであり、図７（ｃ）は、時期Ｐ２’におけるバックライトブロック１５ａ〜１５ｅの点灯消灯パターンである。
【０２４３】
時期Ｐ１’において、バックライトブロック１５ａは、図７（ａ）に全点灯として示すように、最大輝度で点灯し、他のバックライトブロック１５ｂ〜１５ｅは消灯している。
【０２４４】
時期Ｓ２’を経過した直後から時期Ｅ１’に至る直前までの時期では、バックライトブロック１５ａは、図７（ｂ）に半点灯として示すように最大輝度より小さい輝度で点灯しており、バックライトブロック１５ｂも、図７（ｂ）に半点灯として示すように最大輝度より小さい輝度で点灯しており、他のバックライトブロック１５ｃ〜１５ｅは消灯している。
【０２４５】
時期Ｐ２’において、バックライトブロック１５ａは消灯しており、バックライトブロック１５ｂは、図７（ｃ）に全点灯として示すように最大輝度で点灯している。
【０２４６】
そして、時期Ｓ２’を経過した直後から時期Ｅ１’に至る直前までの時期では、図５に示すようにバックライトブロック１５ａの輝度は連続的に減少しており、バックライトブロック１５ｂの輝度は連続的に増加している。
【０２４７】
上記と同様に、時期Ｐ２’から時期Ｐ３’に至る際にも、時期Ｓ３’を経過した直後から時期Ｅ２’に至る直前までの時期では、バックライトブロック１５ｂは、最大輝度より小さい輝度で点灯しており、バックライトブロック１５ｃも、最大輝度より小さい輝度で点灯しており、他のバックライトブロック１５ａ、１５ｄ、１５ｅは消灯している。
【０２４８】
また、上記と同様に、時期Ｐ３’から時期Ｐ４’に至る際にも、時期Ｓ４’を経過した直後から時期Ｅ３’に至る直前までの時期では、バックライトブロック１５ｃは、最大輝度より小さい輝度で点灯しており、バックライトブロック１５ｄも、最大輝度より小さい輝度で点灯しており、他のバックライトブロック１５ａ、１５ｂ、１５ｅは消灯している。
【０２４９】
また、上記と同様に、時期Ｐ４’から時期Ｐ５’に至る際にも、時期Ｓ５’を経過した直後から時期Ｅ４’に至る直前までの時期では、バックライトブロック１５ｄは、最大輝度より小さい輝度で点灯しており、バックライトブロック１５ｅも、最大輝度より小さい輝度で点灯しており、他のバックライトブロック１５ａ〜１５ｃは消灯している。
【０２５０】
このように、バックライト制御部１９’は、バックライトブロック１５ａ〜１５ｅの点灯消灯及び輝度を制御する。
【０２５１】
上述したように、第２の実施の形態においては、１フレームの開始時期である時期Ｓ１’よりも過去の時期に点灯を開始するバックライトブロックは存在しない。すなわち、図１３は、第１の実施の形態の図５におけるバックライトブロック１５ａの点灯開始時期であるＳ１が１フレーム期間（または１フィールド期間）の開始時期に一致するように、図５におけるバックライトブロック１５ａ〜１５ｅのタイミングチャートを右側（未来の側）に平行移動したものに相当する。
【０２５２】
従って、第２の実施の形態は、第１の実施の形態と同様に、第２の実施の形態の液晶表示装置１’の液晶表示パネル１０の表示画面は、背景技術で説明した液晶表示装置１０１の液晶表示パネル１０の表示画面よりフリッカのようなちらつきが少なくなり、高品質な表示を実現することが出来る。
【０２５３】
また、第１の実施の形態では、バックライトブロック１５ａの点灯開始時期である時期Ｓ１は、現在の１フレーム期間（または１フィールド期間）の一つ前の１フレーム期間（または１フィールド期間）の開始時期を示す垂直同期信号に基づいて判定していた。このため、現在の１フレーム期間（または１フィールド期間）の開始時期を示す垂直同期信号がタイミング制御部２３から出力されるタイミングが変動すると、液晶表示パネル１０の駆動とバックライトブロック１５ａの点灯開始時期とがずれ、上述したように表示品位が劣化する可能性がある。
【０２５４】
これに対して、第２の実施の形態の液晶表示装置１’においては、バックライトブロック１５ａの点灯開始時期である時期Ｓ１’は、現在の１フレーム期間（または１フィールド期間）の垂直同期信号に基づいて判定されるので、現在の１フレーム期間（または１フィールド期間）の開始時期を示す垂直同期信号がタイミング制御部２３から出力されるタイミングが変動しても、液晶表示パネル１０の駆動とバックライトブロック１５ａの点灯開始時期とがずれることがない。
【０２５５】
従って、第２の実施の形態の液晶表示装置１’は、１フレーム期間（または１フィールド期間）の開始時期である時期Ｓ１’が変動した場合であっても、液晶表示パネル１０の表示画面の表示品質が劣化することがないという効果も得ることが出来る。
【０２５６】
なお、第２の実施の形態の時期Ｓ２’を経過した直後から時期Ｅ１’に至る直前までの時期、時期Ｓ３’を経過した直後から時期Ｅ２’に至る直前までの時期、時期Ｓ４’を経過した直後から時期Ｅ３’に至る直前までの時期、時期Ｓ５’を経過した直後から時期Ｅ４’に至る直前までの時期のそれぞれは、本発明の所定の期間の一例である。
【０２５７】
バックライト制御部１９’によるバックライトブロック１５ａ〜１５ｅの点灯消灯及び輝度の制御は、基本的には、第１の実施の形態で説明したバックライト制御部１９と同様である。
【０２５８】
以下に、バックライト制御部１９’が行う制御とバックライト制御部１９が行う制御とで相違する部分についてのみ説明する。
【０２５９】
図１０（ａ）、図１０（ｂ）に第１の実施の形態と同様にバックライト情報３２を示す。図１０（ｂ）に示すように各バックライト情報３６ａ〜３６ｅは、点灯開始時期３７及び点灯終了時期３８から構成される。
【０２６０】
第２の実施の形態では、全てのバックライトブロック１５ａ〜１５ｅが、１フレーム期間（または１フィールド期間）の開始時期である時期Ｓ１’以降に点灯を開始するので、図１０（ａ）の各バックライト情報３２における図１０（ｂ）の点灯開始時期３７の値は、必ず図１０（ｂ）における点灯終了時期３８の値より小さい値となる。この点が、第１の実施の形態と相違している。
【０２６１】
従って、第１の実施の形態とは異なり、点灯判定部２６ｂ’は、第１記憶部２７に記憶されているバックライト情報３２を参照して、各バックライトブロック１５ａ〜１５ｅを点灯させるか消灯させるかを判定する際、第１の実施の形態の点灯判定部２６ｂより簡素な処理によりその判定を行うことが出来る。
【０２６２】
この判定を、例えば、バックライトブロック１５ａについて説明すると、カウンタ３０が示す現在の時間（１フレーム期間（または１フィールド期間）の開始時からの時間）が、バックライト情報３２のうちバックライトブロック１５ａに関する情報を示すバックライト情報３２ａの点灯開始時期３７と点灯終了時期３８とで定義される区間［点灯開始時期３７、点灯終了時期３８］に含まれていれば点灯させると判定し、その区間に含まれていなければ点灯させないと判定する。
【０２６３】
そして、カウンタ３０が示す現在の時間をＣとし、点灯開始時期３７をＶｓとし、点灯終了時期３８をＶｅとすると、この判定は、Ｖｓ＜ＣかつＣ＜Ｖｅが成立すれば、点灯判定部２６ｂは、そのバックライトブロックを点灯させると判定し、Ｖｓ＜ＣかつＣ＜Ｖｅが成立しないならば、そのバックライトブロックを消灯させると判定する。バックライトブロック１５ｂ〜１５ｅについても同様である。点灯判定部２６ｂは、判定結果をパラメータ決定部２６ｃに通知する。
【０２６４】
このように、第２の実施の形態における点灯判定部２６ｂ’における判定は、第１の実施の形態における点灯判定部２６ｂよりもより簡易になっている。
【０２６５】
従って、バックライト制御部１９’の演算部２６’の構成をより簡素にすることが出来るとともに、第１の実施の形態の演算部２６よりも処理速度が遅いものを用いることも可能になる。従って、第１の実施の形態に比べて液晶表示装置１’の製造コストを削減することが出来る。
【０２６６】
上記以外は、バックライト制御部１９’が行う制御は、第１の実施の形態のバックライト制御部１９が行う制御と同様であるので説明を省略する。
【０２６７】
なお、第２の実施の形態では、バックライト制御部１９’の点灯判定部として点灯判定部２６ｂ’を用いるとして説明したが、点灯判定部２６ｂ’の代わりに第１の実施の形態で説明した点灯判定部２６ｂを用いても構わない。
【０２６８】
さらに、第２の実施の形態においても第１の実施の形態で説明した種々の変形例を適用出来ることは言うまでもない。
【０２６９】
（第３の実施の形態）
次に、第３の実施の形態について説明する。
【０２７０】
第３の実施の形態では、第２の実施の形態と同様に、１フレーム期間（または１フィールド期間）の開始時期が変動した場合であっても、液晶表示パネル１０の表示画面の表示品質が劣化することがない液晶表示装置について説明する。また、第３の実施の形態では、第２の実施の形態と同様に点灯判定部２６ｂ’が行う判定が、第１の実施の形態より簡易である液晶表示装置について説明する。
【０２７１】
なお、第３の実施の形態では、第２の実施の形態と同一部分については同一符号を付して詳細な説明を省略する。
【０２７２】
図１１に、第３の実施の形態の液晶表示装置１’のブロック図を示す。第３の実施の形態の液晶表示装置１’の構成は、第２の実施の形態と同様である。
【０２７３】
また、第３の実施の形態のバックライト制御部１９’は、第２の実施の形態と同様に、図１２に示される。
【０２７４】
次に、このような第３の実施の形態の液晶表示装置１’及び本発明の１実施の形態である液晶表示装置の駆動方法について、第２の実施の形態との相違点を中心に説明する。
【０２７５】
液晶表示装置１’の電源が入れられた際には、背景技術で説明した液晶表示装置１０１と同様に転移駆動を行う。
【０２７６】
そして、転移駆動が完了し、表示動作が可能になると、液晶表示装置１’は、表示動作を開始する。
【０２７７】
第３の実施の形態の液晶表示装置１’における転移駆動及び表示動作は、第２の実施の形態の液晶表示装置１‘の転移駆動及び表示動作と同様であるので、説明を省略する。
【０２７８】
図１４は、第３の実施の形態の液晶表示装置１’における黒挿入駆動時の、ゲートパルス、及びバックライトブロック１５ａ〜１５ｅの点灯消灯のタイミングチャートの一例である。図１４は、第２の実施の形態で説明した図１３におけるバックライトブロック１５ａ〜１５ｅのタイミングチャートを右側（未来の側）に平行移動したものに相当する。
【０２７９】
すなわち、Ｄを所定の正の値とするとき、図１３のＳ１’〜Ｓ５’、Ｅ１’〜Ｅ５’、Ｔ１’〜Ｔ１’、Ｐ１’〜Ｐ５’を、それぞれＤだけ右側（未来の側）へ移動すると、図１４のＳ１’’〜Ｓ５’’、Ｅ１’’〜Ｅ５’’、Ｔ１’’〜Ｔ１’’、Ｐ１’’〜Ｐ５’’に一致する。
【０２８０】
つまり、図１４のＳ１’’〜Ｓ５’’、Ｅ１’’〜Ｅ５’’、Ｔ１’’〜Ｔ１’’、Ｐ１’’〜Ｐ５’’と、図１３のＳ１’〜Ｓ５’、Ｅ１’〜Ｅ５’、Ｔ１’〜Ｔ１’、Ｐ１’〜Ｐ５’との関係は、以下の（数３）のようになる。  つまり、所定の正の値Ｄは、１フレーム期間（または１フィールド期間）の開始時期からバックライトブロック１５ａの点灯を開始する時期までの時間を意味する。
【０２８１】
（数３）
Ｓ１’’＝Ｓ１’＋Ｄ
Ｓ２’’＝Ｓ２’＋Ｄ
Ｓ３’’＝Ｓ３’＋Ｄ
Ｓ４’’＝Ｓ４’＋Ｄ
Ｓ５’’＝Ｓ５’＋Ｄ
Ｅ１’’＝Ｅ１’＋Ｄ
Ｅ２’’＝Ｅ２’＋Ｄ
Ｅ３’’＝Ｅ３’＋Ｄ
Ｅ４’’＝Ｅ４’＋Ｄ
Ｅ５’’＝Ｅ５’＋Ｄ
Ｔ１’’＝Ｔ１’＋Ｄ
Ｔ２’’＝Ｔ２’＋Ｄ
Ｔ３’’＝Ｔ３’＋Ｄ
Ｔ４’’＝Ｔ４’＋Ｄ
Ｔ５’’＝Ｔ５’＋Ｄ
Ｐ１’’＝Ｐ１’＋Ｄ
Ｐ２’’＝Ｐ２’＋Ｄ
Ｐ３’’＝Ｐ３’＋Ｄ
Ｐ４’’＝Ｐ４’＋Ｄ
Ｐ５’’＝Ｐ５’＋Ｄ
バックライト制御部１９’は、タイミング制御部２３から供給されてくるバックライト制御信号に従って、黒挿入駆動に連動するように、各バックライトブロック１５ａ〜１５ｅの点灯消灯と輝度とを制御する。
【０２８２】
以下、バックライト制御部１９によるバックライトブロック１５ａ〜１５ｅの制御について図１４等を用いて説明する。
【０２８３】
図１４において、バックライトブロック１５ａは、時期Ｓ１’’に点灯し、その後輝度が連続的に増加して、時期Ｐ１’’において輝度が最大になり、その後輝度が連続的に減少し、時期Ｔ２’’より未来の時期である時期Ｅ１’’に消灯している。
【０２８４】
また、バックライトブロック１５ｂは、時期Ｔ２’’より過去の時期である時期Ｓ２’’に点灯し、その後輝度が連続的に増加して、時期Ｐ２’’において輝度が最大になり、その後輝度が連続的に減少し、時期Ｔ３’’より未来の時期である時期Ｅ２’’に消灯している。
【０２８５】
また、バックライトブロック１５ｃは、時期Ｔ３’’より過去の時期である時期Ｓ３’’に点灯し、その後輝度が連続的に増加して、時期Ｐ３’’において輝度が最大になり、その後輝度が連続的に減少し、時期Ｔ４’’より未来の時期である時期Ｅ３’’に消灯している。
【０２８６】
また、バックライトブロック１５ｄは、時期Ｔ４’’より過去の時期である時期Ｓ４’’に点灯し、その後輝度が連続的に増加して、時期Ｐ４’’において輝度が最大になり、その後輝度が連続的に減少し、時期Ｔ５’’より未来の時期である時期Ｅ４’’に消灯している。
【０２８７】
また、バックライトブロック１５ｅは、時期Ｔ５’’より過去の時期である時期Ｓ５’’に点灯し、その後輝度が連続的に増加して、時期Ｐ５’’において輝度が最大になり、その後輝度が連続的に減少し、時期Ｔ６’’より未来の時期である時期Ｅ５’’に消灯している。
【０２８８】
図６（ａ）〜図６（ｆ）は、それぞれ時期Ｐ１’’、Ｐ２’’、Ｐ３’’、Ｐ４’’、Ｐ５’’、及び時期Ｅ５’’より未来でかつ次の１フレーム期間（または１フィールド期間）のバックライトブロック１５ａの点灯開始時期Ｓ１’’より過去の時期において、各バックライトブロック１５ａ〜１５ｅが点灯しているか消灯しているかを示す点灯消灯パターンである。なお、図６（ａ）〜図６（ｆ）において、第１の実施の形態と同様に、斜線で塗られたバックライトブロックは、最大輝度で点灯すなわち全点灯していることを示し、斜線で塗られていないバックライトブロックは、消灯していることを示す。
【０２８９】
また、図７（ａ）〜図７（ｃ）に時期Ｐ１’’から時期Ｐ２’’までのバックライトブロック１５ａ〜１５ｅの点灯消灯パターンを示す。図７（ａ）は、時期Ｐ１’’でのバックライトブロック１５ａ〜１５ｅの点灯消灯パターンであり、図７（ｂ）は、時期Ｓ２’’を経過した直後から時期Ｅ１’’に至る直前までの時期のバックライトブロック１５ａ〜１５ｅの点灯消灯パターンであり、図７（ｃ）は、時期Ｐ２’’におけるバックライトブロック１５ａ〜１５ｅの点灯消灯パターンである。
【０２９０】
時期Ｐ１’’において、バックライトブロック１５ａは、図７（ａ）に全点灯として示すように、最大輝度で点灯し、他のバックライトブロック１５ｂ〜１５ｅは消灯している。
【０２９１】
時期Ｓ２’’を経過した直後から時期Ｅ１’’に至る直前までの時期では、バックライトブロック１５ａは、図７（ｂ）に半点灯として示すように最大輝度より小さい輝度で点灯しており、バックライトブロック１５ｂも、図７（ｂ）に半点灯として示すように最大輝度より小さい輝度で点灯しており、他のバックライトブロック１５ｃ〜１５ｅは消灯している。
【０２９２】
時期Ｐ２’’において、バックライトブロック１５ａは消灯しており、バックライトブロック１５ｂは、図７（ｃ）に全点灯として示すように最大輝度で点灯している。
【０２９３】
そして、時期Ｓ２’’を経過した直後から時期Ｅ１’’に至る直前までの時期では、図５に示すようにバックライトブロック１５ａの輝度は連続的に減少しており、バックライトブロック１５ｂの輝度は連続的に増加している。
【０２９４】
上記と同様に、時期Ｐ２’’から時期Ｐ３’’に至る際にも、時期Ｓ３’’を経過した直後から時期Ｅ２’’に至る直前までの時期では、バックライトブロック１５ｂは、最大輝度より小さい輝度で点灯しており、バックライトブロック１５ｃも、最大輝度より小さい輝度で点灯しており、他のバックライトブロック１５ａ、１５ｄ、１５ｅは消灯している。
【０２９５】
また、上記と同様に、時期Ｐ３’’から時期Ｐ４’’に至る際にも、時期Ｓ４’’を経過した直後から時期Ｅ３’’に至る直前までの時期では、バックライトブロック１５ｃは、最大輝度より小さい輝度で点灯しており、バックライトブロック１５ｄも、最大輝度より小さい輝度で点灯しており、他のバックライトブロック１５ａ、１５ｂ、１５ｅは消灯している。
【０２９６】
また、上記と同様に、時期Ｐ４’’から時期Ｐ５’’に至る際にも、時期Ｓ５’’を経過した直後から時期Ｅ４’’に至る直前までの時期では、バックライトブロック１５ｄは、最大輝度より小さい輝度で点灯しており、バックライトブロック１５ｅも、最大輝度より小さい輝度で点灯しており、他のバックライトブロック１５ａ〜１５ｃは消灯している。
【０２９７】
このように、バックライト制御部１９は、バックライトブロック１５ａ〜１５ｅの点灯消灯及び輝度を制御する。
【０２９８】
上述したように、第３の実施の形態においては、第２の実施の形態と同様に、１フレーム期間（または１フィールド期間）の開始時期よりも過去の時期に点灯を開始するバックライトブロックは存在しない。すなわち、図１４は、第１の実施の形態の図５におけるバックライトブロック１５ａの点灯開始時期であるＳ１が１フレーム期間（または１フィールド期間）より未来の時期に一致するように、図１３におけるバックライトブロック１５ａ〜１５ｅのタイミングチャートを右側（未来の側）に平行移動したものに相当する。
【０２９９】
従って、第３の実施の形態は、第１の実施の形態と同様に、液晶表示装置１’の液晶表示パネル１０の表示画面は、背景技術で説明した液晶表示装置１０１の液晶表示パネル１０の表示画面よりフリッカのようなちらつきが少なくなり、高品質な表示を実現することが出来る。
【０３００】
さらに、第３の実施の形態の液晶表示装置１’において、１フレーム期間（または１フィールド期間）の開始時期が変動した場合、すなわち、タイミング制御部２３から送られてくるバックライト制御信号としての垂直同期信号が送られてくる時期が変動した場合であっても、第２の実施の形態と同様にバックライトブロック１５ａの点灯のタイミングが、液晶表示表示パネル１０の駆動のタイミングとずれることがない。
【０３０１】
従って、第３の実施の液晶表示装置１’は、１フレーム期間（または１フィールド期間）の開始時期が変動した場合であっても、液晶表示パネル１０の表示画面の表示品質が劣化することがないという第２の実施の形態と同様の効果も得ることが出来る。
【０３０２】
なお、第３の実施の形態の時期Ｓ２’’を経過した直後から時期Ｅ１’’に至る直前までの時期、時期Ｓ３’’を経過した直後から時期Ｅ２’’に至る直前までの時期、時期Ｓ４’’を経過した直後から時期Ｅ３’’に至る直前までの時期、時期Ｓ５’’を経過した直後から時期Ｅ４’’に至る直前までの時期のそれぞれは、本発明の所定の期間の一例である。
【０３０３】
バックライト制御部１９’によるバックライトブロック１５ａ〜１５ｅの点灯消灯及び輝度の制御は、第２の実施の形態で説明したバックライト制御部１９’と同様であるので説明を省略する。
【０３０４】
このように、第３の実施の形態における点灯判定部２６ｂ’における判定は、第１の実施の形態における点灯判定部２６ｂよりもより簡素になっている。
【０３０５】
従って、バックライト制御部１９’の演算部２６’の構成を第１の実施の形態のバックライト制御部１９の演算部２６よりも簡素にすることが出来るとともに、演算部２６よりも処理速度が遅いものを用いることも可能になる。
【０３０６】
従って、第１の実施の形態に比べて液晶表示装置１’の製造コストを削減することが出来る。
【０３０７】
また、上述した所定の正の値Ｄ（１フレーム期間（または１フィールド期間）の開始時期からバックライトブロック１５ａが点灯を開始するまでの時間）を調整することによって、液晶表示パネル１０の駆動と、バックライト１５ａ〜１５ｅの駆動とのタイミングを微調整することが出来るので、より高品質な表示を可能にすることが出来るようになる。
【０３０８】
なお、第３の実施の形態においても第１及び第２の実施の形態で説明した種々の変形例を適用出来ることは言うまでもない。
【０３０９】
なお、第１〜第３の実施の形態におけるカウンタ３０は、コントローラ４から送られてくるバックライト制御信号のうち垂直同期信号を検知すると、計測している時間をゼロにリセットし、バックライト制御信号のうち水平同期信号を検知する毎に計測している時間を１だけカウントアップするとして説明したがこれに限らない。カウンタ３０が、コントローラ４から送られてくるバックライト制御信号のうち垂直同期信号を検知すると、計測している時間をゼロにリセットし、バックライト制御信号のうちクロック信号を検知する毎に計測している時間を１だけカウントアップしても構わない。
【０３１０】
さらに、第１〜第３の実施の形態では、規格化パラメータ情報テーブル３５が、パラメータ情報テーブル３４を作成するための情報であり、０から１までの範囲に規格化した時間に対して、０から１までの範囲に規格化したパラメータ情報を対応付けたテーブルであるとして説明したが、これに限らない。規格化パラメータ情報テーブル３５として、０から１までの範囲に規格化した時間を引数とし、０から１までの範囲に規格化したパラメータ情報の値を返す数式を用いた関数であっても構わない。
【０３１１】
例えば、図８（ａ）、図８（ｂ）などの時間に関する１階微分が連続な輝度波形を実現するためには、規格化パラメータ情報テーブル３５の代わりに、例えば３次のカージナルスプラインを用いることが出来る。カージナルスプラインを用いることにより、所望の曲線形状の代表的な通過点のデータを設定するだけで、その所望の曲線形状を近似することが出来るので、広範囲な曲線を表すことが出来る。
【０３１２】
さらに、第１〜第３の実施の形態では、図５、図１３、図１４に示すようにバックライト制御部１９、１９’が、液晶表示パネル１０の表示画面のうちバックライトブロック１５ａ〜１５ｅに対向している表示画面の領域について、液晶表示パネル１０の駆動と連動させてバックライトブロック１５ａの点灯消灯及び輝度を制御したが、これに限らない。バックライト制御部１９、１９’が、図５、図１３、図１４とは異なるタイミングでバックライトブロック１５ａ〜１５ｅの点灯、消灯、及び輝度を制御しても構わない。
【０３１３】
さらに、第１〜第３のの形態では、液晶表示パネル１０の対向基板に赤色、緑色、青色のカラーフィルタが設けられており、バックライト１１の光源であるＬＥＤ１３ａ〜１３ｅ、１４ａ〜１４ｅが射出する光の色が白色であるとして説明したが、これに限らず、本実施の形態における液晶表示装置１または１’を、いわゆるフィールドシーケンシャルカラー方式の液晶表示装置として動作させることも出来る。
【０３１４】
ここで、フィールドシーケンシャルカラー方式とは、液晶表示パネル１０の対向基板にカラーフィルタを形成せずに、１画素で３色（赤色、緑色、青色）の画像を１フレーム期間（または１フィールド期間）に時間的に順次表示する方式であり、液晶表示パネル１０の対向基板にカラーフィルタを設ける方式に比較して、高透過率、高解像度化が図れるという利点を有している。
【０３１５】
すなわち、１フレーム期間（または１フィールド期間）に、３原色である赤表示期間、緑表示期間、及び青表示期間を設ける。そして、赤表示期間の直後に黒挿入期間を設け、緑表示期間の直後にも黒挿入期間を設け、青表示期間の直後にも黒挿入期間を設ける。
【０３１６】
すなわち、液晶表示装置１または１’がフィールドシーケンシャルカラー方式である場合には、上述した第１〜第３の形態の動作を赤色の表示期間とその直後の黒表示期間、緑色の表示期間とその直後の黒表示期間、青色の表示期間のその直後の黒表示期間でそれぞれ繰り返せばよい。そして、バックライトブロック１５ａ〜１５ｅのＬＥＤ１３ａ〜１３ｅ、１４ａ〜１４ｅは、赤色、緑色、青色の光を射出することが出来るものであればよい。
【０３１７】
さらに、第１〜第３の形態では、液晶表示パネル１０が有する液晶層にＯＣＢモード液晶が用いられているとして説明したが、ＯＣＢモード液晶以外の液晶を用いても構わない。例えば、ＴＮ（ツイストネマチック）タイプの液晶層、ＳＴＮ（Ｓｕｐｅｒ−Ｔｗｉｓｔｅｄ  Ｎｅｍａｔｉｃ）モードの液晶層、ＤＳＭ（Ｄｙｎａｍｉｃ  Ｓｃａｔｔｅｒｉｎｇ  Ｍｏｄｅ：動的散乱モード）の液晶層、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折モード）の液晶層、ＶＡ（Ｖｅｒｔｉｃａｌｌｙ  Ａｌｉｇｎｅｄ）  ｍｏｄｅの液晶層などを用いても構わない。なお、液晶表示パネル１０でＣＲＴのようなインパルス型の表示に近づけるためには、高速応答性を有する液晶を用いることがより好ましい。
【０３１８】
さらに、第１〜第３の形態の液晶表示装置１または１’は、前述したように、背景技術で説明した液晶表示装置１０１と同様にＯＣＢモードの液晶表示素子を用いた液晶表示装置であるとして説明した。すなわち、ＯＣＢモードの液晶表示素子を用いた方が、ＴＮ（Ｔｗｉｓｔｅｄ  Ｎｅｍａｔｉｃ）配向液晶表示パネルを用いるより高速応答性の点で好ましい。
【０３１９】
しかしながら、このことは、上述したように、本実施の形態の液晶表示装置１の液晶表示パネル１０が、ＯＣＢモード液晶表示素子を用いるものであることに限定するものではない。
【０３２０】
第１〜第３の形態の液晶表示装置１または１’の液晶表示パネル１０として、ＴＮ（Ｔｗｉｓｔｅｄ  Ｎｅｍａｔｉｃ）配向液晶表示パネルなど、逆転移防止駆動を必要としない液晶層を用いた液晶表示パネルを用いて黒挿入駆動を行う場合についても、第１〜第３の形態を以下のように適用することが出来る。
【０３２１】
すなわち、このような液晶表示装置の場合には、第１〜第３の実施の形態で説明した転移駆動を行う必要がない。それ以外は、第１〜第３の実施の形態と同様である。
【０３２２】
さらに、第１〜第３の実施の形態では、バックライト１１の光源はＬＥＤ１３ａ〜１３ｅ、１４ａ〜１４ｅであるとして説明したが、これに限らず、バックライト１１の光源として冷陰極管を用いても構わない。また、バックライト１１の光源としてＥＬ素子を用いた表示装置を用いても構わない。要するに、バックライト１１の光源として、高速応答性を有する光源を用いさえすればよい。
【０３２３】
さらに、第１〜第３の形態では、バックライト１１の光源としてＬＥＤが、各バックライトブロックの両側に一つずつ設けられているとして説明したが、これに限らない。各バックライトブロックに関して、その片側に１個設けても構わない。
【０３２４】
さらに、第１〜第３の形態では、バックライト１１が５個のバックライトブロック１５ａ〜１５ｅに分割されているとしたが、これに限らない。バックライト１１が少なくとも２個以上のバックライトブロックに分割されていればよく、また、多くとも液晶表示パネルの縦方向の画素数（走査線の本数）に等しい個数のバックライトブロックに分割されていればよい。なお、液晶表示パネルの縦方向の画素数（走査線の本数）の１／５程度の個数から走査線の本数に等しい個数のバックライトとしては、例えばＥＬ表示装置を用いて構成することも可能である。
【０３２５】
さらに、第１〜第３の形態では、各バックライトブロック１５ａ〜１５ｅは、あるバックライトブロックが点灯しているとき、点灯しているバックライトブロックに隣接しているバックライトブロックの輝度が点灯しているバックライトブロックの７０パーセントになるように光が伝搬するように予め設計されているとするとして説明したが、これに限らない。
【０３２６】
点灯しているバックライトブロックに隣接しているバックライトブロックの輝度が点灯しているバックライトブロックの１／３や４／１等になるように光が伝搬するように予め設計されていても構わない。さらに一般的には、点灯しているバックライトブロックに隣接しているバックライトブロックの輝度が点灯しているバックライトブロックの１／Ｒになるように光が伝搬するように予め設計されていても構わない。
【０３２７】
さらに、各バックライトブロック毎に、隣接する他のバックライトブロックに伝搬する光量が異なっているように予め設計されていても構わない。このような場合であっても、第１〜第３の形態を適用することが出来る。
【０３２８】
尚、本発明のプログラムは、上述した本発明の液晶表示装置の全部又は一部の部、及び回路等の機能をコンピュータにより実行させるためのプログラムであって、コンピュータと協働して動作するプログラムである。
【０３２９】
又、本発明の記録媒体は、上述した本発明の液晶表示装置の全部又は一部の部、及び回路等の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【０３３０】
尚、本発明の上記「一部の部、及び回路等」とは、それらの複数の部の内の、一つ又は幾つかの部を意味する。
【０３３１】
又、本発明の上記「部、及び回路等の機能」とは、前記部の全部又は一部の機能を意味する。
【０３３２】
又、本発明のプログラムの一利用形態は、コンピュータにより読み取り可能な、ＲＯＭ等の記録媒体に記録され、コンピュータと協働して動作する態様であっても良い。
【０３３３】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０３３４】
又、上述した本発明のコンピュータは、ＣＰＵ等の純然たるハードウェアに限らず、ファームウェアや、ＯＳ、更に周辺機器を含むものであっても良い。
【０３３５】
尚、以上説明した様に、本発明の構成は、ソフトウェア的に実現しても良いし、ハードウェア的に実現しても良い。
【産業上の利用可能性】
【０３３６】
本発明に係る液晶表示装置、液晶表示装置の駆動方法、記録媒体、及びプログラムは、バックライトを複数のバックライトブロックに分割して構成した場合、液晶表示パネルの表示画面に見えるフリッカのようなちらつきを従来に比べて抑制することが出来るという効果を有し、複数のバックライトブロックに分割されたバックライトを備えた液晶表示装置、液晶表示装置の駆動方法、その液晶表示装置を駆動するためのプログラム、及びそのプログラムを記録した記録媒体等に有用である。
【図面の簡単な説明】
【０３３７】
【図１】本発明の第１の実施の形態における液晶表示装置の構成を示すブロック図
【図２】（ａ）本発明の第１〜第３の実施の形態における液晶表示装置のバックライトを液晶表示パネルの表示面と直交する方向から見た平面図、（ｂ）本発明の第１〜第３の実施の形態における液晶表意装置のバックライトの側面図
【図３】本発明の第１〜第３の実施の形態における液晶表示装置で用いられるバックライトの構成を示す分解斜視図
【図４】本発明の第１の実施の形態におけるバックライト制御部の詳細な構成を示すブロック図
【図５】本発明の第１の実施の形態における黒挿入駆動時の、ゲートパルス、及びバックライトブロックの点灯消灯のタイミングチャートの一例である。
【図６】（ａ）本発明の第１〜第３の実施の形態における各バックライトブロックが点灯しているか消灯しているかを示す図、（ｂ）本発明の第１〜第３の実施の形態における各バックライトブロックが点灯しているか消灯しているかを示す図、（ｃ）本発明の第１〜第３の実施の形態における各バックライトブロックが点灯しているか消灯しているかを示す図、（ｄ）本発明の第１〜第３の実施の形態における各バックライトブロックが点灯しているか消灯しているかを示す図、（ｅ）本発明の第１〜第３の実施の形態における各バックライトブロックが点灯しているか消灯しているかを示す図、（ｆ）本発明の第１〜第３の実施の形態における各バックライトブロックが点灯しているか消灯しているかを示す図
【図７】（ａ）本発明の第１〜第３の実施の形態におけるバックライトブロックの点灯消灯パターンを示す図、（ｂ）本発明の実施の形態におけるバックライトブロックの点灯消灯パターンを示す図、（ｃ）本発明の実施の形態におけるバックライトブロックの点灯消灯パターンを示す図
【図８】（ａ）本発明の第１〜第３の実施の形態におけるバックライトブロック１５ａの輝度の波形を示す図、（ｂ）本発明の第１〜第３の実施の形態における図８（ａ）とは異なるバックライトブロック１５ａの輝度の波形を示す図、（ｃ）本発明の第１〜第３の実施の形態における図８（ａ）とは異なるバックライトブロック１５ａの輝度の波形を示す図、（ｄ）本発明の第１〜第３の実施の形態における図８（ａ）とは異なるバックライトブロック１５ａの輝度の波形を示す図、（ｅ）本発明の第１〜第３の実施の形態における図８（ａ）とは異なるバックライトブロック１５ａの輝度の波形を示す図
【図９】（ａ）本発明の第１〜第３の実施の形態におけるパラメータ情報テーブルの概要を示す説明図、（ｂ）本発明の第１〜第３の実施の形態におけるパラメータ情報テーブルの概要を示す説明図
【図１０】（ａ）本発明の第１〜第３の実施の形態におけるバックライト情報を示す説明図、（ｂ）本発明の第１〜第３の実施の形態におけるバックライト情報を示す説明図
【図１１】本発明の第２及び第３の実施の形態における液晶表示装置の構成を示すブロック図
【図１２】本発明の第２及び第３の実施の形態におけるバックライト制御部の詳細な構成を示すブロック図
【図１３】本発明の第２の実施の形態における黒挿入駆動時の、ゲートパルス、及びバックライトブロックの点灯消灯のタイミングチャートの一例である。
【図１４】本発明の第２の実施の形態における黒挿入駆動時の、ゲートパルス、及びバックライトブロックの点灯消灯のタイミングチャートの一例である。
【図１５】（ａ）従来のＯＣＢモードの液晶表示素子が有する液晶分子の配向状態を模式的に示し、電圧印加状態を示す断面図、（ｂ）従来のＯＣＢモードの液晶表示素子が有する液晶分子の配向状態を模式的に示し、電圧印加状態を示す断面図、（ｃ）従来のＯＣＢモードの液晶表示素子が有する液晶分子の配向状態を模式的に示し、電圧無印加状態を示す断面図
【図１６】従来の液晶表示装置の構成を示すブロック図
【図１７】従来の液晶表示装置の黒挿入駆動時の、ゲートパルス、及びバックライトブロック１５ａ〜１５ｅの点灯消灯のタイミングチャートの一例を示す図
【図１８】（ａ）従来の液晶表示装置の表示パネルに表示される影部を示す図、（ｂ）従来の液晶表示装置の表示パネルに表示される影部を示す図
【符号の説明】
【０３３８】
１、１’  液晶表示装置
２  ソースドライバ
３  ゲートドライバ
４  コントローラ
１０  液晶表示パネル
１１  バックライト
１２ａ、１２ｂ、１２ｃ、１２ｄ、１２ｅ  導光板
１３ａ、１３ｂ、１３ｃ、１３ｄ、１３ｅ  ＬＥＤ
１４ａ、１４ｂ、１４ｃ、１４ｄ、１４ｅ  ＬＥＤ
１５ａ、１５ｂ、１５ｃ、１５ｄ、１５ｅ  バックライトブロック
１６ａ、１６ｂ  影部
１７  液晶駆動電圧発生回路
１９、１９’  バックライト制御部
２１  信号処理部
２２  フレームメモリ
２３  タイミング制御部
２４  Ｄ／Ａ変換部
２５  シフトレジスタ
２６、２６’  演算部
２６ａ  パラメータ情報テーブル作成部
２６ｂ、２６ｂ’  点灯判定部
２６ｃ  パラメータ決定部
２７  第１記憶部
２８  第２記憶部
２９  第３記憶部
３１  パラメータ変換部
３２  バックライト情報
３２ａ、３２ｂ、３２ｃ、３２ｄ、３２ｅ  バックライト情報
３３  最大パラメータ情報
３４  パラメータ情報テーブル
３４ａ、３４ｂ、３４ｃ、３４ｄ、３４ｅ  パラメータ情報テーブル
３５  規格化パラメータ情報テーブル
３６ａ、３６ｂ、３６ｃ、３６ｄ、３６ｅ  バックライト情報
３７  点灯開始時期
３８  点灯終了時期
５１  反射シート
５２  仕切部
【図１】
2008225122.tif 000003
【図２】
2008225122.tif 000004
【図３】
2008225122.tif 000005
【図４】
2008225122.tif 000006
【図５】
2008225122.tif 000007
【図６】
2008225122.tif 000008
【図７】
2008225122.tif 000009
【図８】
2008225122.tif 000010
【図９】
2008225122.tif 000011
【図１０】
2008225122.tif 000012
【図１１】
2008225122.tif 000013
【図１２】
2008225122.tif 000014
【図１３】
2008225122.tif 000015
【図１４】
2008225122.tif 000016
【図１５】
2008225122.tif 000017
【図１６】
2008225122.tif 000018
【図１７】
2008225122.tif 000019
【図１８】
2008225122.tif 000020